(57)【特許請求の範囲】
【請求項１】
ワイヤレス通信の方法であって、
ユーザ機器（ＵＥ）において、ランダムアクセス要求を生成すること、ここにおいて、前記ＵＥは、少なくとも無認可スペクトルを通してサービング基地局に通信信号を送信し、サービング基地局から通信信号を受信するように構成される、と、
前記ＵＥが、無認可スペクトルのクリアチャネルアセスメント（ＣＣＡ）サブフレームおよび非クリアチャネルアセスメント（非ＣＣＡ）サブフレームを決定することと、
前記ＵＥが、前記サービング基地局によってサービスされるセルで動作する１つまたは複数のキャリアのうちの第１のキャリアを通して、非ＣＣＡサブフレームにおいて前記サービング基地局に、前記ランダムアクセス要求を送信することと、
前記ＵＥが、前記セルに接続するために、前記ランダムアクセス要求に対するランダムアクセス応答のための１つまたは複数のキャリアをモニタすることと
を備える、方法。
【請求項２】
前記通信信号を前記受信することは、前記少なくとも無認可スペクトルを通してである、
請求項１に記載の方法。
【請求項３】
前記ランダムアクセス要求を前記送信することは、周波数において、１つまたは複数の隣接するＵＥからの１つまたは複数の他のランダムアクセス要求と、前記ランダムアクセス要求を多重化することを含み、前記多重化することは、前記セルのシステム帯域幅にわたって実行される、
請求項１に記載の方法。
【請求項４】
前記ランダムアクセス要求を前記送信することは、コードにおいて、前記ランダムアクセス要求と同じ周波数中の、１つまたは複数の追加の隣接するＵＥからの１つまたは複数の追加のランダムアクセス要求と、前記ランダムアクセス要求を多重化することをさらに含む、
請求項３に記載の方法。
【請求項５】
前記ランダムアクセス要求を前記送信することは、コードにおいて、前記ランダムアクセス要求と同じ周波数中の、１つまたは複数の追加の隣接するＵＥからの１つまたは複数の追加のランダムアクセス要求と、前記ランダムアクセス要求を多重化することを含む、
請求項１に記載の方法。
【請求項６】
前記基地局の送信状態を決定することと、
前記送信状態に応答して前記ランダムアクセス要求の再送を実行するか否かを決定することと
をさらに含む、請求項１に記載の方法。
【請求項７】
前記送信状態は、可能状態または不可能状態のうちの１つから成り、前記送信状態に応答して、
前記基地局が前記ランダムアクセス応答を送ることができていないことを前記送信状態が示す場合、前記ランダムアクセス要求を再送を一時停止すること、または
前記基地局が前記ランダムアクセス応答を送ることができていることを前記送信状態が示す場合、前記ランダムアクセス要求を再送すること
のうちの１つを決定することから成る、請求項６に記載の方法。
【請求項８】
前記ランダムアクセス応答を受信せずに再送時間ギャップの拡張を検出することと、
前記送信状態に応答して、
前記基地局が前記ランダムアクセス応答を送ることができていないことを前記送信状態が示す場合、前記再送時間ギャップを拡張すること、または
前記基地局が前記ランダムアクセス応答を送ることができていることを前記送信状態が示す場合、前記ランダムアクセス要求を再送すること
のうちの１つを決定することと
をさらに含む、請求項６に記載の方法。
【請求項９】
前記送信状態を前記決定することは、
前記ＵＥが、前記基地局によって送信される１つまたは複数の基準信号についてモニタリングすることと、
前記ＵＥが、前記１つまたは複数の基準信号の検出に失敗する場合、送信不可送信状態を決定することと、
前記ＵＥが、前記１つまたは複数の基準信号を検出する場合、送信可送信状態を決定することと、
前記ＵＥが、非ＣＣＡサブフレームを検出する場合、送信可送信状態を決定することと
を含む、請求項６に記載の方法。
【請求項１０】
１つまたは複数の基準信号は、
チャネル使用パイロット信号（ＣＵＰＳ）、
チャネル使用ビーコン信号（ＣＵＢＳ）、
セル固有基準信号（ＣＲＢ）、および
チャネル状態情報基準信号（ＣＳＩ−ＲＳ）
のうちの１つまたは複数を含む、請求項９に記載の方法。
【請求項１１】
前記ＵＥにおいて、前記ＵＥが少なくとも規定の期間の間アイドルモードであると決定することをさらに含み、
前記ランダムアクセス要求を前記送信することは、ＣＣＡ検査を行うことなくＣＣＡサブフレームまたは非ＣＣＡサブフレームのうちの１つ上で送信される、
請求項１に記載の方法。
【請求項１２】
前記ＣＣＡ検査を行うことなく、前記ランダムアクセス要求を前記送信することに基づいて保証された送信についてのオフセットの不一致を決定することと、
前記不一致に従って前記オフセットを調整することと
をさらに含む、請求項１１に記載の方法。
【請求項１３】
保証された送信のための非ＣＣＡサブフレームを検出することと、
前記非ＣＣＡサブフレームが前記ＣＣＡ検査を行うことなく前記ランダムアクセス要求を前記送信することからの制限付き送信期間内であると決定することと、
前記決定することに基づいて前記非ＣＣＡサブフレームのための前記保証された送信をスキップすることと
をさらに含む、請求項１１に記載の方法。
【請求項１４】
前記ランダムアクセス要求は、サブフレームの一部を占める、
請求項１に記載の方法。
【請求項１５】
前記サブフレームのうちの１つは、単一スロット中の１つまたは複数シンボルを含む、
請求項１４に記載の方法。
【請求項１６】
ワイヤレス通信の方法であって、
基地局が、無免許スペクトルのクリアチャネルアセスメント（ＣＣＡ）サブフレームおよび非クリアチャネルアセスメント（非ＣＣＡ）サブフレームを識別することと、
前記基地局において、前記基地局によってサービスされるセルで動作する１つまたは複数のキャリアのうちの第１のキャリアを通して、非ＣＣＡサブフレームにおいてユーザ機器（ＵＥ）から、ランダムアクセス要求を受信すること、ここにおいて、前記基地局は、少なくとも無認可スペクトルを通して前記ＵＥから通信信号を受信し、前記ＵＥに通信信号を送信するように構成される、と、
前記ランダムアクセス要求に応答して、ランダムアクセス応答を生成することと、
１つまたは複数のキャリアのうちの別のキャリアを通して前記ＵＥに前記ランダムアクセス応答の送信を指示することと
を備える、方法。
【請求項１７】
前記ＵＥに前記通信信号を前記送信することは、前記少なくとも無認可スペクトルを通して実行される、
請求項１６に記載の方法。
【請求項１８】
前記ランダムアクセス応答の前記送信は、
非ＣＣＡサブフレーム、または
ＣＣＡサブフレーム
のうちの１つを通して無免許帯域において生じる、請求項１６に記載の方法。
【請求項１９】
前記ランダムアクセス要求は、サブフレームの一部を占める、
請求項１６に記載の方法。
【請求項２０】
前記サブフレームのうちの前記一部は、単一スロット中の１つまたは複数シンボルを含む、
請求項１９に記載の方法。
【請求項２１】
ワイヤレス通信のために構成されたユーザ機器（ＵＥ）であって、
少なくとも１つのプロセッサと、
前記少なくとも１つのプロセッサに結合されるメモリと
を備え、前記少なくとも１つのプロセッサは、
前記ＵＥにおいて、ランダムアクセス要求を生成すること、ここにおいて、前記ＵＥは、少なくとも無認可スペクトルを通してサービング基地局に通信信号を送信し、サービング基地局から通信信号を受信するように構成される、と、
前記ＵＥが、無認可スペクトルのクリアチャネルアセスメント（ＣＣＡ）サブフレームおよび非クリアチャネルアセスメント（非ＣＣＡ）サブフレームを決定することと、
前記ＵＥが、前記サービング基地局によってサービスされるセルで動作する１つまたは複数のキャリアのうちの第１のキャリアを通して、非ＣＣＡサブフレームにおいて前記サービング基地局に、前記ランダムアクセス要求を送信することと、
前記ＵＥが、前記セルに接続するために、前記ランダムアクセス要求に対するランダムアクセス応答のための１つまたは複数のキャリアをモニタすることと
を行うように構成される、ＵＥ。
【請求項２２】
前記少なくとも１つのプロセッサは、
前記基地局の送信状態を決定することと、
前記送信状態に応答して前記ランダムアクセス要求の再送を行うか否かを決定することと
を行うようにさらに構成される、請求項２１に記載のＵＥ。
【請求項２３】
前記送信状態は、可能状態または不可能状態のうちの少なくとも１つから成り、前記少なくとも１つのプロセッサは、送信状態に応答して、
前記基地局が、前記ランダムアクセス応答を送ることができていないことを前記送信状態が示す場合、前記ランダムアクセス要求の再送を一時停止すること、または
前記基地局が、前記ランダムアクセス応答を送ることができていることを前記送信状態が示す場合、前記ランダムアクセス要求を再送すること
のうちの１つを行うように構成される、請求項２２に記載のＵＥ。
【請求項２４】
前記少なくとも１つのプロセッサは、
前記ランダムアクセス要求を受信せずに再送時間ギャップの終了を検出することと、
前記送信状態に応答して、
前記基地局が、前記ランダムアクセス応答を送ることができていないことを送信状態が示す場合、前記再送時間ギャップを拡張すること、または
前記基地局が、前記ランダムアクセス応答を送ることができていることを前記送信状態が示す場合、前記ランダムアクセス要求を再送すること
のうちの１つを決定することと
を行うようにさらに構成される、請求項２２に記載のＵＥ。
【請求項２５】
前記送信状態を決定する前記少なくとも１つのプロセッサの前記構成は、
前記ＵＥが、前記基地局によって送信される１つまたは複数の基準信号についてモニタリングすることと、
前記ＵＥが、前記１つまたは複数の基準信号の検出に失敗する場合、送信不可送信状態を決定することと、
前記ＵＥが、前記１つまたは複数の基準信号を検出する場合、送信可送信状態を決定することと、
前記ＵＥが、非ＣＣＡサブフレームを検出する場合、送信可送信状態を決定することと
を行う前記少なくとも１つのプロセッサの構成を含む、請求項２２に記載のＵＥ。
【請求項２６】
前記１つまたは複数の基準信号は、
チャネル使用パイロット信号（ＣＵＰＳ）、
チャネル使用ビーコン信号（ＣＵＢＳ）、
セル固有基準信号（ＣＲＢ）、および
チャネル状態情報基準信号（ＣＳＩ−ＲＳ）
のうちの１つまたは複数を含む、請求項２５に記載のＵＥ。
【請求項２７】
前記ランダムアクセス要求は、サブフレームの一部を占める、
請求項２１に記載のＵＥ。
【請求項２８】
ワイヤレス通信のために構成された基地局であって、
少なくとも１つのプロセッサと、
前記少なくとも１つのプロセッサに結合されるメモリと
を備え、前記少なくとも１つのプロセッサは、
前記基地局が、無免許スペクトルのクリアチャネルアセスメント（ＣＣＡ）サブフレームおよび非クリアチャネルアセスメント（非ＣＣＡ）サブフレームを識別することと、
前記基地局において、前記基地局によってサービスされるセルで動作する１つまたは複数のキャリアのうちの第１のキャリアを通して、ユーザ機器（ＵＥ）からランダムアクセス要求を受信すること、ここにおいて、前記基地局は、少なくとも無認可スペクトルを通して前記ＵＥから通信信号を受信し、前記ＵＥに通信信号を送信するように構成される、と、
前記ランダムアクセス要求に応答して、ランダムアクセス応答を生成することと、
１つまたは複数のキャリアのうちの別のキャリアを通して前記ＵＥに前記ランダムアクセス応答の送信を指示することと
を行うように構成される、基地局。
【請求項２９】
前記ランダムアクセス要求は、サブフレームの一部を占める、
請求項２８に記載の基地局。
【請求項３０】
前記サブフレームのうちの前記一部は、単一スロット中の１つまたは複数シンボルを含む、
請求項２９に記載の基地局。
【発明の詳細な説明】
【関連出願への相互参照】
【０００１】
[0001]本願は、２０１３年８月１６日に出願された「UPLINK PROCEDURES FOR LTE-U COMMUNICATION SYSTEMS」と題する米国特許仮出願第６１／８６６９２５号と、２０１４年８月１４日に出願された「UPLINK PROCEDURES FOR LTE/LTE-A COMMUNICATION SYSTEMS WITH UNLICENSED SPECTRUM」と題する米国特許出願第１４／４５９６７６号の利益を主張し、これらは、参照によってそれら全体が本明細書に明確に組み込まれる。
【技術分野】
【０００２】
[0002]本開示の態様は一般に、ワイヤレス通信システムに関し、より具体的には、無認可スペクトルを用いるロングタームエボリューション（ＬＴＥ（登録商標））／ＬＴＥ−アドバンスド（ＬＴＥ−Ａ）通信システムのためのアップリンクプロシージャに関する。
【背景技術】
【０００３】
[0003]ワイヤレス通信ネットワークは、音声、ビデオ、パケットデータ、メッセージング、ブロードキャスト、等の、様々な通信サービスを提供するために広く展開されている。これらワイヤレスネットワークは、利用可能なネットワークリソースを共有することによって、複数のユーザをサポートすることができる多元接続ネットワークであり得る。このようなネットワークは、通常は多元接続ネットワークであり、利用可能なネットワークリソースを共有することによって複数のユーザのための通信をサポートする。このようなネットワークの一例は、ユニバーサルテレストリアルラジオアクセスネットワーク（ＵＴＲＡＮ）である。ＵＴＲＡＮは、第３世代パートナーシッププロジェクト（３ＧＰＰ（登録商標））によってサポートされる第３世代（３Ｇ）モバイル電話技術である、ユニバーサルモバイルテレコミュニケーションシステム（ＵＭＴＳ）の一部として定義された無線アクセスネットワーク（ＲＡＮ）である。多元接続ネットワークフォーマットの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークが含まれる。
【０００４】
[0004]ワイヤレス通信ネットワークは、多数のユーザ機器（ＵＥ）のために通信をサポートすることができる多数の基地局またはノードＢを含み得る。ＵＥは、ダウンリンクおよびアップリンクを介して基地局と通信し得る。ダウンリンク（すなわち、順方向リンク）は、基地局からＵＥへの通信リンクを指し、アップリンク（すなわち、逆方向リンク）は、ＵＥから基地局への通信リンクを指す。
【０００５】
[0005]基地局は、ダウンリンクでＵＥにデータおよび制御情報を送信し得、および／または、アップリンクでＵＥからデータおよび制御情報を受信し得る。ダウンリンクでは、基地局からの送信が、隣接した基地局からの、または、他のワイヤレス無線周波数（ＲＦ）送信機からの送信による干渉に出くわし得る。アップリンクでは、ＵＥからの送信が、隣接した基地局と通信する他のＵＥのアップリンク送信からの、または、他のワイヤレスＲＦ送信機からの干渉に出くわし得る。この干渉は、ダウンリンクおよびアップリンクの両方での性能を低下させ得る。
【０００６】
[0006]モバイルブロードバンドアクセスに対する需要が高まり続けると、より多くのＵＥが長距離ワイヤレス通信ネットワークにアクセスし、より多くの短距離ワイヤレスシステムがコミュニティにおいて展開されるため、干渉および輻輳ネットワークの可能性が増加し得る。研究および開発は、モバイルブロードバンドアクセスに対する高まる需要を満たすだけでなく、モバイル通信とのユーザエクスペリエンスを促進および強化するために、ＵＭＴＳ技術を進歩させ続ける。
【発明の概要】
【０００７】
[0007]本開示の一態様では、ワイヤレス通信の方法は、サービング基地局への送信のための１つまたは複数のアップリンク信号をＵＥにおいて生成すること、ここにおいて、ＵＥは、少なくとも無認可スペクトルを通してサービング基地局に通信信号を送信し、サービング基地局から通信信号を受信するように構成される、と、１つまたは複数のアップリンク信号のうちの少なくとも１つの送信のための非クリアチャネルアセスメント（非ＣＣＡ）サブフレームをＵＥが決定することと、非ＣＣＡサブフレームにおいて１つまたは複数のアップリンク信号のうちの少なくとも１つを、無認可帯域を通してＵＥが送信することとを含む。
【０００８】
[0008]本開示の追加の態様では、ワイヤレス通信の方法は、少なくとも１つのアップリンク信号の受信のための非ＣＣＡサブフレームを、少なくとも無認可スペクトルを通した通信用に構成されたサービング基地局が識別すること、非ＣＣＡサブフレームにおいてＵＥから１つまたは複数のアップリンク信号を、無認可帯域を通してサービング基地局で受信することととを含む。
【０００９】
[0009]本開示の追加の態様では、ワイヤレス通信用に構成された装置は、サービング基地局への送信のための１つまたは複数のアップリンク信号をＵＥにおいて生成するための手段、ここにおいて、ＵＥは、少なくとも無認可スペクトルを通してサービング基地局に通信信号を送信し、サービング基地局から通信信号を受信するように構成される、を含む。装置は、１つまたは複数のアップリンク信号のうちの少なくとも１つの送信のための非ＣＣＡサブフレームをＵＥによって決定するための手段をさらに含む。装置はまた、非ＣＣＡサブフレームにおいて１つまたは複数のアップリンク信号のうちの少なくとも１つを、無認可帯域を通してＵＥによって送信するための手段を備える。
【００１０】
[0010]本開示の追加の態様では、ワイヤレス通信用に構成された装置は、少なくとも１つのアップリンク信号の受信のための非ＣＣＡサブフレームを、少なくとも１つの無認可スペクトルを通した通信用に構成されたサービング基地局によって識別するための手段を含む。装置は、追加的に、非ＣＣＡサブフレームにおいてＵＥから１つまたは複数のアップリンク信号を、無認可帯域を通してサービング基地局において受信するための手段を含む。
【図面の簡単な説明】
【００１１】
【図１】図１は、様々な実施形態に係る、ワイヤレス通信システムの例を例示する図を示す。
【図２Ａ】図２Ａは、様々な実施形態に係る、無認可スペクトルにおいてＬＴＥを使用するための展開シナリオの例を例示する図を示す。
【図２Ｂ】図２Ｂは、様々な実施形態に係る、無認可スペクトルにおいてＬＴＥを使用するための展開シナリオの別の例を例示する図を示す。
【図３】図３は、様々な実施形態に係る、認可および無認可スペクトルで同時にＬＴＥを使用する際のキャリアアグリゲーションの例を例示する図を示す。
【図４】図４は、本開示の一態様にしたがって構成された、基地局／ｅＮＢおよびＵＥの設計を概念的に例示するブロック図である。
【図５】図５は、本開示の一態様にしたがって構成された、無認可スペクトルを用いるＬＴＥ／ＬＴＥ−Ａ展開のための送信タイムラインを例示するブロック図である。
【図６】図６は、本開示の一態様にしたがって構成された、無認可スペクトルを用いるＬＴＥ／ＬＴＥ−Ａ展開における送信タイムラインを例示するブロック図である。
【図７】図７は、本開示の一態様にしたがって構成された、無認可スペクトルを用いるＬＴＥ／ＬＴＥ−Ａ展開のシステム帯域幅を例示するブロック図である。
【図８Ａ】図８Ａは、本開示の一態様を実装するために実行される例となるブロックを例示する機能ブロック図である。
【図８Ｂ】図８Ｂは、本開示の一態様を実装するために実行される例となるブロックを例示する機能ブロック図である。
【図９】図９は、本開示の一態様にしたがって構成された、無認可スペクトルを用いるＬＴＥ／ＬＴＥ−Ａ通信システムにおける送信タイムラインを例示するブロック図である。
【図１０】図１０は、本開示の一態様にしたがって構成された、無認可スペクトルを用いるＬＴＥ／ＬＴＥ−Ａ ＵＥの送信タイムラインを例示するブロック図である。
【図１１Ａ】図１１Ａは、本開示の一態様にしたがって構成された、無認可スペクトルを用いるＬＴＥ／ＬＴＥ−Ａ通信システムにおけるｅＮＢとＵＥとの間の呼フローを例示する呼フロー図である。
【図１１Ｂ】図１１Ｂは、本開示の一態様にしたがって構成された、無認可スペクトルを用いるＬＴＥ／ＬＴＥ−Ａ通信システムにおけるｅＮＢとＵＥとの間の呼フローを例示する呼フロー図である。
【図１２】図１２は、本開示の一態様にしたがって構成された、基地局からの組み合せられたランダムアクセス応答メッセージを例示するブロック図である。
【図１３Ａ】図１３Ａは、本開示の一態様を実装するために実行される例となるブロックを例示する機能ブロック図である。
【図１３Ｂ】図１３Ｂは、本開示の一態様を実装するために実行される例となるブロックを例示する機能ブロック図である。
【図１４Ａ】図１４Ａは、本開示の一態様を実装するために実行される例となるブロックを例示する機能ブロック図である。
【図１４Ｂ】図１４Ｂは、本開示の一態様を実装するために実行される例となるブロックを例示する機能ブロック図である。
【発明を実施するための形態】
【００１２】
[0027]添付の図面に関連して以下に示される詳細な説明は、様々な構成を説明することを意図したものであり、本開示の範囲を制限することを意図したものではない。むしろ、この詳細な説明は、本発明の主題の徹底した理解を与えることを目的とした特定の詳細を含む。これら特定の詳細がすべてのケースで必要とされるわけではないこと、および、いくつかの事例では、周知の構造および構成要素が、提示の明確さのためにブロック図の形式で示されることは、当業者には明らかであろう。
【００１３】
[0028]オペレータはこれまで、ＷｉＦｉを、セルラネットワークにおける高まり続ける輻輳のレベルを軽減させるために無認可スペクトルを使用するプライマリメカニズムと考えてきた。しかしながら、無認可スペクトルにおけるＬＴＥ／ＬＴＥ−Ａに基づいた新しいキャリアタイプ（ＮＣＴ）は、キャリアグレードＷｉＦｉと互換性があり得、これは、無認可スペクトルを用いるＬＴＥ／ＬＴＥ−ＡをＷｉＦｉの代用とする。無認可スペクトルを用いるＬＴＥ／ＬＴＥ−Ａは、ＬＴＥコンセプトを活用し得、無認可スペクトルにおいて効率的な動作を提供するため、および、規制要件を満たすために、ネットワークデバイスまたはネットワークの物理レイヤ（ＰＨＹ）および媒体アクセス制御（ＭＡＣ）態様に対していくつかの改良を加え得る（introduce）。無認可スペクトルは、例えば、６００メガヘルツ（ＭＨｚ）から６ギガヘルツ（ＧＨｚ）の範囲であり得る。いくつかのシナリオでは、無認可スペクトルを用いるＬＴＥ／ＬＴＥ−Ａは、ＷｉＦｉよりも極めて良好に機能し得る。例えば、すべてのＷｉＦｉ展開と比べて（単一または複数のオペレータのための）無認可スペクトルを用いるすべてのＬＴＥ／ＬＴＥ−Ａ展開、または、密度の高い小さいセル展開が存在する場合、無認可スペクトルを用いるＬＴＥ／ＬＴＥ−Ａは、ＷｉＦｉよりも極めて良好に機能し得る。無認可スペクトルを用いるＬＴＥ／ＬＴＥ−Ａは、無認可スペクトルを用いるＬＴＥ／ＬＴＥ−ＡがＷｉＦｉと混合される他のシナリオ（例えば、単一のまたは複数のオペレータのための）において、ＷｉＦｉよりも良好に機能し得る。
【００１４】
[0029]単一のサービスプロバイダ（ＳＰ）の場合、無認可スペクトル上のＬＴＥ／ＬＴＥ−Ａネットワークは、認可スペクトル上のＬＴＥネットワークと同期するように構成され得る。しかしながら、複数のＳＰによって所与のチャネル上に展開される無認可スペクトルを用いるＬＴＥ／ＬＴＥ−Ａネットワークは、複数のＳＰにわたって同期するように構成され得る。上の特徴を両方とも組み込むための１つのアプローチは、所与のＳＰについて、無認可スペクトルを用いるＬＴＥ／ＬＴＥ−Ａと、無認可スペクトルを用いないＬＴＥ／ＬＴＥ−Ａとの間に一定のタイミングオフセットを使用することを伴い得る。無認可スペクトルを用いるＬＴＥ／ＬＴＥ−Ａネットワークは、ＳＰのニーズにしたがってユニキャストおよび／またはマルチキャストサービスを提供し得る。さらに、無認可スペクトルを用いるＬＴＥ／ＬＴＥ−Ａネットワークは、ＬＴＥセルがアンカとして機能し、関連無認可帯域セル情報（例えば、無線フレームタイミング、共通チャネル構成、システムフレーム数すなわちＳＦＮ、等）を提供するブートストラップモードで動作し得る。このモードでは、無認可スペクトルを用いるＬＴＥ／ＬＴＥ−Ａと、無認可スペクトルを用いないＬＴＥ／ＬＴＥ−Ａとの間に密な（close）相互作用が存在し得る。例えば、ブートストラップモードは、上述された補助ダウンリンクおよびキャリアアグリゲーションモードをサポートし得る。無認可スペクトルを用いるＬＴＥ／ＬＴＥ−ＡネットワークのＰＨＹ−ＭＡＣレイヤは、無認可スペクトルを用いるＬＴＥ／ＬＴＥ−Ａネットワークが、ＬＴＥネットワークから独立して動作するスタンドアローンモードで動作し得る。このケースでは、例えば、コロケートされた認可および無認可帯域セルでのＲＬＣレベルのアグリゲーション上で、または、複数のセルおよび／または基地局にわたるマルチフロー上で、無認可スペクトルを用いるＬＴＥ／ＬＴＥ−Ａと、無認可スペクトルを用いないＬＴＥ／ＬＴＥ−Ａとの間に疎な（loose）相互作用が存在し得る。
【００１５】
[0030]本明細書で説明される技法は、ＬＴＥに限定されず、ＣＤＭＡ、ＴＤＭＡ、ＦＤＭＡ、ＯＦＤＭＡ、ＳＣ−ＦＤＭＡ、および他のシステムのような様々なワイヤレス通信システムにも使用され得る。「システム」および「ネットワーク」という用語は、交換して使用されることが多い。ＣＤＭＡシステムは、ＣＤＭＡ２０００、ＵＴＲＡ（Universal Terrestrial Radio Access）、等の無線技術を実装し得る。ＣＤＭＡ２０００は、ＩＳ−２０００、ＩＳ−９５、およびＩＳ−８５６規格をカバーする。ＩＳ−２０００リリース０およびＡは、通称、ＣＤＭＡ２０００ １Ｘ、１Ｘ、等と呼ばれる。ＩＳ−８５６（ＴＩＡ−８５６）は、通称、ＣＤＭＡ２０００ １ｘＥＶ−ＤＯ、高速パケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、グローバルシステムフォーモバイルコミュニケーション（ＧＳＭ（登録商標））のような無線技術を実装し得る。ＯＦＤＭＡシステムは、ウルトラモバイルブロードバンド（ＵＭＢ）、次世代ＵＴＲＡ（Ｅ−ＵＴＲＡ）、ＩＥＥＥ８０２.１１（Ｗｉ−Ｆｉ）、ＩＥＥＥ８０２.１６（ＷｉＭＡＸ）、ＩＥＥＥ８０２.２０、フラッシュＯＦＤＭ（Ｆｌａｓｈ−ＯＦＤＭ）、等の無線技術を実装し得る。ＵＴＲＡおよびＥ−ＵＴＲＡは、ユニバーサルテレコミュニケーションシステム（ＵＭＴＳ）の一部である。ＬＴＥおよびＬＴＥアドバンスド（ＬＴＥ−Ａ）は、Ｅ−ＵＴＲＡを使用するＵＭＴＳの新しいリリースである。ＵＴＲＡ、Ｅ―ＵＴＲＡ、ＵＭＴＳ、ＬＴＥ、ＬＴＥ−Ａ、およびＧＳＭは、「第３世代パートナーシッププロジェクト（３ＧＰＰ）」という名称の団体からの文書に記載されている。ＣＤＭＡ２０００およびＵＭＢは、「第３世代パートナーシッププロジェクト２（３ＧＰＰ２）」という名称の団体からの文書に記載されている。本明細書で説明される技法は、上述されたシステムおよび無線技術に加え、別のシステムおよび無線技術に使用され得る。しかしながら、以下の説明は、本技術はＬＴＥ適用を超えて適用可能であるが、例示のためにＬＴＥシステムを説明し、以下の説明の大半ではＬＴＥ用語が使用される。
【００１６】
[0031]ゆえに、以下の説明は例を提供するものであり、特許請求の範囲において示される範囲、適用性、または構成を限定するものではない。本開示の精神および範囲から逸脱することなく、説明される要素の機能および配置において変更がなされ得る。様々な実施形態は、様々なプロシージャまたは構成要素を適宜省略、置換、または追加し得る。例えば、説明される方法は、説明されるものとは異なる順序で行われ得、様々なステップが、追加、省略、または組み合わされ得る。また、ある特定の実施形態に関連して説明される特徴は、他の実施形態では組み合わせらされ得る。
【００１７】
[0032]まず図１を参照すると、図は、ワイヤレス通信システムまたはネットワーク１００の例を例示している。システム１００は、基地局（またはセル）１０５、通信デバイス１１５、およびコアネットワーク１３０を含む。基地局１０５は、様々な実施形態ではコアネットワーク１３０または基地局１０５の一部であり得る基地局コントローラ（示されない）の制御下で通信デバイス１１５と通信し得る。基地局１０５は、バックホールリンク１３２を通してコアネットワーク１３０と、制御情報および／またはユーザデータを通信し得る。複数の実施形態では、基地局１０５は、直接的または間接的のいずれかで、ワイヤードまたはワイヤレス通信リンクであり得るバックホールリンク１３４を通して互いと通信し得る。システム１００は、複数のキャリア（異なる周波数の波形信号）上での動作をサポートし得る。マルチキャリア送信機は、複数のキャリア上で、変調された信号を同時に送信することができる。例えば、各通信リンク１２５は、上述した様々な無線技術にしたがって変調されたマルチキャリア信号であり得る。変調された各信号は、異なるキャリア上で送られ得、制御情報（例えば、基準信号、制御チャネル、等）、オーバヘッド情報、データ、等を搬送し得る。
【００１８】
[0033]基地局１０５は、１つまたは複数の基地局アンテナを介してデバイス１１５とワイヤレスに通信し得る。基地局１０５のサイトの各々は、それぞれの地理的エリア１１０に通信カバレッジを提供し得る。いくつかの実施形態では、基地局１０５は、トランシーバ基地局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の適切な用語で呼ばれ得る。基地局のためのカバレッジエリア１１０は、このカバレッジエリアのほんの一部を構成する複数のセクタ（示されない）へと分割され得る。システム１００は、異なるタイプの基地局１０５（例えば、マクロ、マイクロ、および／またはピコ基地局）を含み得る。異なる技術の場合、オーバーラップしているカバレッジエリアが存在し得る。
【００１９】
[0034]いくつかの実施形態では、システム１００は、無認可スペクトルを使用する１つまたは複数の通信動作モードまたは展開シナリオをサポートするＬＴＥ／ＬＴＥ−Ａネットワークである。他の実施形態では、システム１００は、無認可スペクトルと、無認可スペクトルを用いるＬＴＥ／ＬＴＥ−Ａとは異なるアクセス技術か、または認可スペクトルと、ＬＴＥ／ＬＴＥ−Ａとは異なるアクセス技術を使用するワイヤレス通信をサポートし得る。発展型ノードＢ（ｅＮＢ）およびユーザ機器（ＵＥ）という用語は概して、それぞれ基地局１０５およびデバイス１１５を説明するために使用され得る。システム１００は、異なるタイプのｅＮＢが様々な地理的エリアにカバレッジを提供する、無認可スペクトルを用いるまたは無認可スペクトルを用いない異種ＬＴＥ／ＬＴＥ−Ａネットワークであり得る。例えば、各ｅＮＢ１０５は、マクロセル、ピコセル、フェムトセル、および／または他のタイプのセルに通信カバレッジを提供し得る。ピコセル、フェムトセル、および／または他のタイプのセルのような小さいセルは、低電力ノードすなわちＬＰＮを含み得る。マクロセルは一般に、比較的広い地理的エリア（例えば、半径数キロメートル）をカバーし、ネットワークプロバイダにサービス加入しているＵＥによる無制限のアクセスを可能にし得る。ピコセルは一般に、比較的狭い地理的エリアをカバーし、ネットワークプロバイダにサービス加入しているＵＥによる無制限のアクセスを可能にし得る。フェムトセルもまた一般に、比較的狭い地理的エリア（例えば、家）をカバーし、無制限のアクセスに加えて、このフェムトセルと関連があるＵＥ（例えば、クローズド加入者グループ（ＣＳＧ）のＵＥ、家の中にいるユーザのＵＥ、等）による制限付のアクセスも提供し得る。マクロセルのためのｅＮＢはマクロｅＮＢと呼ばれ得る。ピコセルのためのｅＮＢはピコｅＮＢと呼ばれ得る。そして、フェムトセルのためのｅＮＢは、フェムトｅＮＢまたはホームｅＮＢと呼ばれ得る。ｅＮＢは、１つまたは複数の（例えば、２つ、３つ、４つ、等の）セルをサポートし得る。
【００２０】
[0035]コアネットワーク１３０は、バックホール１３２（例えば、Ｓ１、等）を介してｅＮＢ１０５と通信し得る。ｅＮＢ１０５は、また、バックホールリンク１３４（例えば、Ｘ２、等）を介しておよび／またはバックホールリンク１３２を介して（例えば、コアネットワーク１３０を通じて）、例えば、直接的または間接的に、互いと通信し得る。システム１００は、同期動作または非同期動作をサポートし得る。同期動作の場合、ｅＮＢは同様のフレームおよび／またはゲーティングタイミングを有し得、異なるｅＮＢからの送信は、時間的におおまかにアラインされ得る。非同期動作の場合、ｅＮＢは異なるフレームおよび／またはゲーティングタイミングを有し得、異なるｅＮＢからの送信は時間的にアラインされない可能性がある。本明細書で説明される技法は、同期動作または非同期動作のいずれかに使用され得る。
【００２１】
[0036]ＵＥ１１５は、システム１００中に分散しており、各ＵＥは、据置型またはモバイルであり得る。ＵＥ１１５はまた、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、等であり得る。ＵＥは、マクロｅＮＢ、ピコｅＮＢ、フェムトｅＮＢ、中継器、等と通信することができ得る。
【００２２】
[0037]システム１００に示される通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は、順方向リンク送信とも呼ばれ得、アップリンク送信は、逆方向リンク送信とも呼ばれ得る。ダウンリンク送信は、認可スペクトル、無認可スペクトル、または両者を使用してなされ得る。同様に、アップリンク送信は、認可スペクトル、無認可スペクトル、または両者を使用してなされ得る。
【００２３】
[0038]システム１００のいくつかの実施形態では、無認可スペクトルを用いるＬＴＥ／ＬＴＥ−Ａのための様々な展開シナリオがサポートされ得、それには、認可スペクトルにおけるＬＴＥダウンリンク容量が無認可スペクトルにオフロードされ得る補助ダウンリンク（ＳＤＬ）モード、ＬＴＥダウンリンクとアップリンク容量の両方が認可スペクトルから無認可スペクトルにオフロードされ得るキャリアアグリゲーションモード、および、基地局（例えば、ｅＮＢ）とＵＥとの間のＬＴＥダウンリンクおよびアップリンク通信が無認可スペクトルにおいて行われ得るスタンドアローンモードが含まれる。基地局１０５およびＵＥ１１５は、これらの動作モードまたは類似した動作モードのうちの１つまたは複数をサポートし得る。ＯＦＭＤ通信信号は、無認可スペクトルにおけるＬＴＥダウンリンク送信のための通信リンク１２５において使用され得、ＳＣ−ＦＤＭＡ通信信号は、無認可スペクトルにおけるＬＴＥアップリンク送信のための通信リンク１２５において使用され得る。システム１００のようなシステムにおいて無認可スペクトルを用いるＬＴＥ／ＬＴＥ−Ａ展開シナリオまたは動作モードの実装形態だけでなく、無認可スペクトルを用いるＬＴＥ／ＬＴＥ−Ａの動作に関する他の特徴および機能に関する追加の詳細が、図２Ａ−図１４Ｂに関連して以下に提供される。
【００２４】
[0039]次に図２Ａを参照すると、図２００は、無認可スペクトルを使用して通信をサポートするＬＴＥ／ＬＴＥ−Ａネットワークのための補助ダウンリンクモードおよびキャリアアグリゲーションモードの例を示す。図２００は、図１のシステム１００の一部の例であり得る。さらに、基地局１０５−ａは、図１の基地局１０５の例であり得、ＵＥ１１５−ａは、図１のＵＥ１１５の例であり得る。
【００２５】
[0040]図２００における補助ダウンリンクモードの例では、基地局１０５−ａは、ダウンリンク２０５を使用してＯＦＤＭＡ通信信号をＵＥ１１５−ａに送信し得る。ダウンリンク２０５は、無認可スペクトルにおける周波数Ｆ１に関連付けられる。基地局１０５−ａは、双方向リンク２１０を使用してＯＦＤＭＡ通信信号を同一のＵＥ１１５−ａに送信し得、双方向リンク２１０を使用してそのＵＥ１１５−ａからＳＣ−ＦＤＭＡ通信信号を受信し得る。双方向リンク２１０は、認可スペクトルにおける周波数Ｆ４に関連付けられる。無認可スペクトルにおけるダウンリンク２０５と、認可スペクトルにおける双方向リンク２１０とは、同時に動作し得る。ダウンリンク２０５は、基地局１０５−ａに対するダウンリンク容量オフロードを提供し得る。いくつかの実施形態では、ダウンリンク２０５は、ユニキャストサービス（例えば、１つのＵＥに向けられる）サービスに、または、マルチキャストサービス（例えば、いくつかのＵＥに向けられる）に使用され得る。このシナリオは、認可スペクトルを使用し、トラフィックおよび／またはシグナリング輻輳をいくらか軽減する必要のある任意のサービスプロバイダ（例えば、典型的なモバイルネットワークオペレータ、すなわちＭＮＯ）で発生し得る。
【００２６】
[0041]図２００におけるキャリアアリグレーションモードの一例では、基地局１０５−ａは、双方向リンク２１５を使用してＯＦＤＭＡ通信信号をＵＥ１１５−ａに送信し得、双方向リンク２１５を使用して同一のＵＥ１１５−ａからＳＣ−ＦＤＭＡ通信信号を受信し得る。双方向リンク２１５は、無認可スペクトルにおける周波数Ｆ１に関連付けられる。基地局１０５−ａはまた、双方向リンク２２０を使用してＯＦＤＭＡ通信信号を同一のＵＥ１１５−ａに送信し得、双方向リンク２２０を使用して同一のＵＥ１１５−ａからＳＣ−ＦＤＭＡ通信信号を受信し得る。双方向リンク２２０は、認可スペクトルにおける周波数Ｆ２に関連付けられる。双方向リンク２１５は、基地局１０５−ａに対するダウンリンクおよびアップリンク容量オフロードを提供し得る。上述された補助ダウンリンクと同様に、このシナリオは、認可スペクトルを使用し、トラフィックおよび／またはシグナリング輻輳をいくらか軽減する必要のある任意のサービスプロバイダ（例えば、ＭＮＯ）で発生し得る。
【００２７】
[0042]図２００におけるキャリアアリグレーションモードの別の例では、基地局１０５−ａは、双方向リンク２２５を使用してＯＦＤＭＡ通信信号をＵＥ１１５−ａに送信し得、双方向リンク２２５を使用して同一のＵＥ１１５−ａからＳＣ−ＦＤＭＡ通信信号を受信し得る。双方向リンク２２５は、無認可スペクトルにおける周波数Ｆ３に関連付けられる。基地局１０５−ａはまた、双方向リンク２３０を使用してＯＦＤＭＡ通信信号を同一のＵＥ１１５−ａに送信し得、双方向リンク２３０を使用して同一のＵＥ１１５−ａからＳＣ−ＦＤＭＡ通信信号を受信し得る。双方向リンク２３０は、認可スペクトルにおける周波数Ｆ２に関連付けられる。双方向リンク２２５は、基地局１０５−ａに対するダウンリンクおよびアップリンク容量オフロードを提供し得る。この例およびこれら上に提供されたものは、例示の目的で提示され、容量オフロードのために、無認可スペクトルを用いるＬＴＥ／ＬＴＥ−Ａを、無認可スペクトルを用いないＬＴＥ／ＬＴＥ−Ａと組み合わせる他の同様の動作モードまたは展開シナリオが存在し得る。
【００２８】
[0043]上述したように、無認可スペクトルを用いるＬＴＥ／ＬＴＥ−Ａを使用することによって提供（offer）される容量オフロードから利益を受け得る典型的なサービスプロバイダは、ＬＴＥスペクトルを用いる典型的なＭＮＯである。これらのサービスプロバイダの場合、動作的な構成は、認可スペクトル上のＬＴＥプライマリコンポーネントキャリア（ＰＣＣ）および無認可スペクトル上のセカンダリコンポーネントキャリア（ＳＣＣ）を使用するブートストラップモード（例えば、補助ダウンリンク、キャリアアグリゲーション）を含み得る。
【００２９】
[0044]補助ダウンリンクモードでは、無認可スペクトルを用いるＬＴＥ／ＬＴＥ−Ａのための制御は、ＬＴＥアップリンク（例えば、双方向リンク２１０のアップリンク部）を通してトランスポートされ得る。ダウンリンク容量オフロードを提供する理由のうちの１つは、データ需要が大部分ダウンリンク消費によるものであるからである。さらに、このモードでは、ＵＥが無認可スペクトルにおいて送信していないため、規制影響（regulatory impact）は存在しないだろう。リッスンビフォアトーク（ＬＢＴ：listen-before-talk）またはキャリア検知多元接続（ＣＳＭＡ）要件をＵＥに実装する必要はない。しかしながら、ＬＢＴは、例えば、無線フレーム境界にアラインされたグラブアンドリリンキッシュ（grab-and-relinquish）メカニズムおよび／または周期的な（例えば、１０ミリ秒ごと）クリアチャネルアセスメント（ＣＣＡ）を使用することによって、基地局（例えば、ｅＮＢ）に実装され得る。
【００３０】
[0045]キャリアアグリゲーションモードでは、データおよび制御は、ＬＴＥ（例えば、双方向リンク２１０、２２０、および２３０）において通信され得、データは、無認可スペクトルを用いるＬＴＥ／ＬＴＥ−Ａ（例えば、双方向リンク２１５および２２５）において通信され得る。無認可スペクトルを用いるＬＴＥ／ＬＴＥ−Ａを使用する際にサポートされるキャリアアリグレーションメカニズムは、ハイブリッド周波数分割複信−時分割複信（ＦＤＤ−ＴＤＤ）キャリアアグリゲーションまたはコンポーネントキャリアにわたって異なる対照性を有するＴＤＤ−ＴＤＤキャリアアグリゲーションに該当し得る。
【００３１】
[0046]図２Ｂは、無認可スペクトルを用いるＬＴＥ／ＬＴＥ−Ａのためのスタンドアローンモードの例を例示する図２００−ａを示す。図２００−ａは、図１のシステム１００の一部の例であり得る。さらに、基地局１０５−ｂは、図１の基地局１０５および図２Ａの１０５−ａの例であり得、ＵＥ１１５−ｂは、図１のＵＥ１１５および図２ＡのＵＥ１１５−ａの例であり得る。
【００３２】
[0047]図２００−ａにおけるスタンドアローンモードの例では、基地局１０５−ｂは、双方向リンク２４０を使用してＯＦＤＭＡ通信信号をＵＥ１１５−ｂに送信し得、この双方向リンク２４０を使用してＵＥ１１５−ｂからＳＣ−ＦＤＭＡ通信信号を受信し得る。双方向リンク２４０は、図２Ａに関連して上述された無認可スペクトルにおける周波数Ｆ３に関連付けられる。スタンドアローンモードは、スタジアム内アクセス（例えば、ユニキャスト、マルチキャスト）といった非典型的なワイヤレスアクセスシナリオにおいて使用され得る。この動作モードの典型的なサービスプロバイダは、スタジアムオーナ、ケーブル会社、イベント主催者、ホテル、企業、認可スペクトルを有さない大企業であり得る。これらサービスプロバイダの場合、スタンドアローンモード用の動作的な構成は、無認可スペクトル上のＰＣＣを使用し得る。さらに、ＬＢＴが、基地局およびＵＥの両方に実装され得る。
【００３３】
[0048]次に図３を参照すると、図３００は、様々な実施形態に係る、認可および無認可スペクトルで同時にＬＴＥを使用する際のキャリアアグリゲーションの例を例示する。図３００のキャリアアグリゲーションスキームは、図２Ａに関連して上述されたハイブリッドＦＤＤ−ＴＤＤキャリアアグリゲーションに対応し得る。このタイプのキャリアアグリゲーションは、図１のシステム１００の少なくとも一部で使用され得る。さらに、このタイプのキャリアアグリゲーションは、それぞれ、図１および図２Ａの基地局１０５および１０５−ａ、および／または、それぞれ、図１および図２ＡのＵＥ１１５および１１５−ａにおいて使用され得る。
【００３４】
[0049]この例では、ＦＤＤ（ＦＤＤ−ＬＴＥ）が、ダウンリンクにおいてＬＴＥに関連して行われ得、第１のＴＤＤ（ＴＤＤ１）が、無認可スペクトルを用いるＬＴＥ／ＬＴＥ−Ａに関連して行われ、第２のＴＤＤ（ＴＤＤ２）が、ＬＴＥに関連して行われ得、別のＦＤＤ（ＦＤＤ−ＬＴＥ）が、アップリンクにおいて、ＬＴＥに関連して行われ得る。ＴＤＤ１は、６：４のＤＬ：ＵＬ比に帰着する、一方でＴＤＤ２に対するこの比は７：３である。この時間的スケールでは、異なる効率的なＤＬ：ＵＬ比は、３：１，１：３，２：２，３：１，２：２，および３：１である。この例は、例示を目的として提示されており、無認可スペクトルを用いるＬＴＥ／ＬＴＥ−Ａおよび無認可スペクトルを用いないＬＴＥ／ＬＴＥ−Ａの動作を組み合わせる他のキャリアアグリゲーションスキームが存在し得る。
【００３５】
[0050]図４は、基地局／ｅＮＢ１０５およびＵＥ１１５の設計のブロック図を示し、これらは、図１の基地局／ｅＮＢのうちの１つおよびＵＥのうちの１つであり得る。ｅＮＢ１０５は、アンテナ４３４ａ〜４３４ｔが備わっており、ＵＥ１１５は、アンテナ４５２ａ〜４５２ｒが備わっているだろう。ｅＮＢ１０５において、送信プロセッサ４２０はデータソース４１２からデータを受け取り、コントローラ／プロセッサ４４０から制御情報を受け取り得る。制御情報は、物理ブロードキャストチャネル（ＰＢＣＨ）、物理制御フォーマットインジケータチャネル（ＰＣＦＩＣＨ）、物理ハイブリッド自動再送要求インジケータチャネル（ＰＨＩＣＨ）、物理ダウンリンク制御チャネル（ＰＤＣＣＨ）、等に関するものであり得る。データは、物理ダウンリンク共有チャネル（ＰＤＳＣＨ）、等に関するものであり得る。送信プロセッサ４２０は、このデータおよび制御情報を処理（例えば、符号化およびシンボルマッピング）して、それぞれデータシンボルおよび制御シンボルを取得し得る。送信プロセッサ４２０はまた、例えば、プライマリ同期信号（ＰＳＳ）、セカンダリ同期信号（ＳＳＳ）、およびセル固有基準信号のための基準シンボルを生成し得る。送信（ＴＸ）多入力多出力（ＭＩＭＯ）プロセッサ４３０は、適用可能であれば、これらデータシンボル、制御シンボル、および／または基準シンボルに対して空間処理（例えば、プリコーディング）を行い得、変調器（ＭＯＤ）４３２ａ〜４３２ｔに出力シンボルストリームを提供し得る。各変調器４３２は、それぞれの出力シンボルストリーム（例えば、ＯＦＤＭ、等のための）を処理して、出力サンプルストリームを取得し得る。各変調器４３２は、この出力サンプルストリームをさらに処理（例えば、アナログ変換、増幅、フィルタリング、およびアップコンバート）して、ダウンリンク信号を取得し得る。変調器４３２ａ〜４３２ｔからのダウンリンク信号は、それぞれ、アンテナ４３４ａ〜４３４ｔを介して送信され得る。
【００３６】
[0051]ＵＥ１１５において、アンテナ４５２ａ〜４５２ｒは、ｅＮＢ１０５からダウンリンク信号を受信し、受信された信号を復調器（ＤＥＭＯＤ）４５４ａ〜４５４ｒにそれぞれ提供し得る。各復調器４５４は、それぞれの受信信号を調整（例えば、フィルタリング、増幅、ダウンコンバート、およびデジタル化）して、入力サンプルを取得し得る。各復調器４５４は、これら入力サンプル（例えば、ＯＦＤＭ、等のための）をさらに処理して、受信シンボルを取得し得る。ＭＩＭＯ検出器４５６は、すべての復調器４５４ａ〜４５４ｒから受信シンボルを取得し、適用可能であれば、これら受信されたシンボルに対してＭＩＭＯ検出を行い、検出されたシンボルを提供し得る。受信プロセッサ４５８は、検出されたシンボルを処理（例えば、復調、デインタリーブ、および復号）し、ＵＥ１１５のための復号済みデータをデータシンク４６０に提供し、復号済み制御情報をコントローラ／プロセッサ４８０に提供し得る。
【００３７】
[0052]アップリンクでは、ＵＥ１１５において、送信プロセッサ４６４は、データソース４６２からデータ（例えば、物理アップリンク共有チャネル（ＰＵＳＣＨ）のための）を、コントローラ／プロセッサ４８０から制御情報（例えば、物理アップリンク制御チャネル（ＰＵＣＣＨ）のための）を受け取り、処理し得る。送信プロセッサ４６４はまた、基準信号のための基準シンボルを生成し得る。送信プロセッサ４６４からのシンボルは、適用可能であれば、ＴＸ ＭＩＭＯプロセッサ４６６によってプリコーディングされ、復調器４５４ａ〜４５４ｒによってさらに処理され（例えば、ＳＣ−ＦＤＭ、等のために）、ｅＮＢ１０５に送信され得る。ｅＮＢ１０５において、ＵＥ１１５からのアップリンク信号は、アンテナ４３４によって受信され、変調器４３２によって処理され、適用可能であれば、ＭＩＭＯ検出器４３６によって検出され、受信プロセッサ４３８によってさらに処理されて、ＵＥ１１５によって送られた復号済みデータおよび制御情報が取得され得る。プロセッサ４３８は、復号済みデータをデータシンク４３９に提供し、復号済み制御情報をコントローラ／プロセッサ４４０に提供し得る。
【００３８】
[0053]コントローラ／プロセッサ４４０および４８０は、それぞれｅＮＢ１０５およびＵＥ１１５での動作を指示し得る。ｅＮＢ１０５のコントローラ／プロセッサ４４０および／または他のプロセッサおよびモジュールは、本明細書で説明される技法のための様々なプロセスを行うかまたはそれの実行を指示し得る。ＵＥ１１５のコントローラ／プロセッサ４８０および／または他のプロセッサおよびモジュールは、図８Ａ−８Ｂおよび１３Ａ−１３Ｂに例示されている機能ブロックおよび／または本明細書で説明される技法のための他のプロセスを行うかまたはそれの実行を指示し得る。メモリ４４２および４８２は、それぞれｅＮＢ１０５およびＵＥ１１５のためのデータおよびプログラムコードを記憶し得る。スケジューラ４４４は、ダウンリンクおよび／またはアップリンク上でのデータ送信についてＵＥをスケジューリングし得る。
【００３９】
[0054]無認可スペクトルを用いるＬＴＥ／ＬＴＥ−Ａを使用した通信のためのワイヤレス技術の実装と共に、効率的に、かつ、現在のＬＴＥ規格からできる限り少ない変更で、無認可帯域にわたるＬＴＥ動作に順応するために様々な適応が望まれ得る。例えば、様々なアップリンクプロシージャが、無認可スペクトルを用いるＬＴＥ／ＬＴＥ−Ａ展開における無認可スペクトルを用いたＬＴＥ動作のために適応され得る。
【００４０】
[0055]無認可スペクトルを用いるＬＴＥ／ＬＴＥ−Ａ動作におけるダウンリンク構造に類似して、クリアチャネルアセスメント（ＣＣＡ）要件の影響を受けないある特定の数の送信機会が存在する。ゆえに、アップリンク通信において自律的であり得るかまたは保証され得る（ＣＣＡの影響を受けない）ある特定の数の送信機会が存在し得る。本開示のために、自律的な送信および保証された送信は、交換して使用され得、同一の保証された送信機会を意味し得る。この保証された送信機会は、保証された手法でアップリンク信号／チャネルを送信することに対して有益であり得る。例えば、保証された送信のための重要であり得るアップリンク通信は、電力制御およびアップリンク／ダウンリンクスケジューリングに使用されるサウンディング基準信号（ＳＲＳ）、スケジューリング要求（ＳＲ）、チャネル状態情報（ＣＳＩ）フィードバック、ピア・ツー・ピア通信のためのアップリンク発見信号、物理ランダムアクセスチャネル（ＰＲＡＣＨ）、物理アップリンク共有チャネル（ＰＵＳＣＨ）（例えば、ＲＡＣＨプロシージャの一部としての初期のＰＵＳＣＨ送信）を含む。この保証された送信機会は、無認可スペクトルを用いるスタンドアローンＬＴＥ／ＬＴＥ−Ａ展開に加え、潜在的にはキャリアアグリゲーション（ＣＡ）展開に適用可能であり得る。
【００４１】
[0056]アップリンク信号の保証された送信に加え、無認可スペクトルを用いるＬＴＥ／ＬＴＥ−Ａはまた、同様に、アップリンク信号の追加の日和見的な送信を提供し得る。ＣＣＡベースのサブフレームにおいて日和見的に送信され得る追加のアップリンク信号は、固定の周期（fixed period）よりも頻繁に関連基地局において受信され得る追加の信号インスタンスを提供し得る。そのようなＣＣＡベースのサブフレームでは、ＵＥがクリアなＣＣＡを検出すると、それは、クリア期間が終了する前のある時点でアップリンク信号を送信し得る。クリアなＣＣＡを検出した後に、送信ストリームは、例えば、５−１０ｍｓといった既定の持続時間の間利用可能となることが保証される。ゆえに、関連基地局は、ある特定のアップリンク信号を、さらに頻繁に受信し得る。しかしながら、周波数間ステータスは、保証された送信サブフレームに基づくべきである。
【００４２】
[0057]本開示の様々な態様は、自律的なダウンリンク送信と自律的なアップリンク送信との間の異なる相互動作を提供する。本開示のいくつかの態様では、自律的なアップリンクおよびダウンリンク送信は、別々に管理され得る。したがって、各々は、異なる周期性および／または異なるサブフレームオフセットを有し得る。本開示の代替的な態様では、自律的なアップリンクおよびダウンリンク送信は、共同で管理され得る。具体的には、自律的なアップリンク送信は、自律的なダウンリンク送信に対するスレーブ構成で動作し得る。ゆえに、共同管理は、同一の周期性および／または相関サブフレームオフセットを含み得る。これら自律的な送信を共同で管理する態様は、ダウンリンクおよびアップリンク動作をリンク付することが典型的に、向上したシステム性能に帰着するため、より効率的な動作を提供し得る。
【００４３】
[0058]ＷＩＦＩノードを使用する無認可スペクトルを用いるＬＴＥ／ＬＴＥ−Ａ展開は、５％フレキシブル送信バジェット（5% flexible transmission budget）下で動作する。５％フレキシブル送信バジェットは、ＷＩＦＩノードが、任意の５０ｍｓ期間内の５％よりも多く自律的に送信することを防ぐ。したがって、本開示の一態様は、保証された送信に対して８０ｍｓという固定の周期性を提案する。しかしながら、５％フレキシブル送信バジェット要件は、５０ｍｓの期間にわたって測定される。ゆえに、保証された送信のための固定の期間もまた、５０ｍｓに設定され得る。８０ｍｓが、多くの異なるシステムパラメータに対してより均等に分割可能または比較可能であるという利益を供給する一方で、５０ｍｓのようなより短い期間は、保証された動作に対して、より多くの機会を提供するだろう。例えば、６０ｍｓ、７０ｍｓ、等の他の時間もまた考慮され得る。
【００４４】
[0059]図５は、本開示の一態様にしたがって構成された、無認可スペクトルを用いるＬＴＥ／ＬＴＥ−Ａ展開のための送信タイムライン５０を例示するブロック図である。送信タイムライン５０は、無認可スペクトルを用いるＬＴＥ／ＬＴＥ−Ａ（ＬＴＥ−ＵＳ）ｅＮＢ５００のための保証されたダウンリンク送信と、ＬＴＥ−ＵＳ ＵＥ１ ５０１のための保証されたアップリンク送信とを例示し、それらは、共同に管理される。ＬＴＥ−ＵＳ ＵＥ２ ５０２およびＬＴＥ−ＵＳ Ｕ３ ５０３からの保証されたアップリンク送信は、ＬＴＥ−ＵＳ ＵＥ１ ５０１からの送信とは異なる周期性およびオフセットにしたがって送信される。異なる周期性およびオフセットは、異なる不連続受信（ＤＲＸ）動作によるもの、負荷分散／干渉強調、等によるもの、または同様のものにより得る。図５の共同管理シナリオでは、ＬＴＥ−ＵＳ ＵＥ１ ５０１の保証されたアップリンク送信は、ＬＴＥ−ＵＳ ｅＮＢ５００の保証されたダウンリンク送信に従う。
【００４５】
[0060]図５に例示されるように、ＬＴＥ−ＵＳ ｅＮＢ５００が、その保証されたダウンリンク送信を送り、そのダウンリンク送信から時間Ｔ１後に、ＬＴＥ−ＵＳ ＵＥ１ ５０１が、その対応する保証されたアップリンク送信を送る。ＬＴＥ−ＵＳ ｅＮＢ５００およびＬＴＥ−ＵＳ ＵＥ１ ５０１の各々は、例えば、５０ｍｓ、６０ｍｓ、８０ｍｓ、等のような同一の固定の周期でそれらのそれぞれの保証された送信を送信する。トリガリング時間Ｔ１、なお、その後にＬＴＥ−ＵＳ ＵＥ１ ５０１がその保証されたアップリンク送信を送る、を考慮すると、高速ランダムアクセスプロシージャを容易にするために、Ｔ１＜Ｔ２を有することは有益で有り得る。ＬＴＥ−ＵＳ ＵＥ１ ５０１の処理時間は、ＬＴＥ−ＵＳ ＵＥ１ ５０１が、５０４においてＬＴＥ−ＵＳ ｅＮＢ５００からの保証されたダウンリンク送信を受信することと、５０６において保証されたアップリンク送信を送ることとを可能にする。時間Ｔ２にわたって、ＬＴＥ−ＵＳ ｅＮＢ５００は、５０６において受信されたＳＲ、ＣＳＩフィードバック、等を処理し、保証されたダウンリンク送信５０５を送り得る。次いで、ＬＴＥ−ＵＳ ＵＥ５０１は、保証されたダウンリンク送信５０５の受信によって再度トリガされた保証されたアップリンク送信５０７を送信し得る。
【００４６】
[0061]アップリンクにおける保証された各送信インスタンスの持続時間が、保証されたダウンリンク送信の持続時間と同一または異なり得ることに留意されるべきである。例えば、保証されたダウンリンク送信は、２つのサブフレームにわたって４つのシンボルを占める。ゆえに、本開示の様々な態様では、保証されたアップリンク送信はまた、２つのサブフレームにわたって４つのシンボルを占める。無認可スペクトルを用いるＬＴＥ／ＬＴＥ−Ａでは、アップリンク送信が、単一キャリア周波数分割多元接続（ＳＣ−ＦＤＭＡ）信号、各クラスタが連続リソース割振りであるマルチクラスタリソース割振りに基づいた信号、インターリーブドリソース割振りに基づいた信号、ＯＦＤＭに基づいた信号、等であり得る。しかしながら、既存のＬＴＥアップリンク設計の再利用を最大化するために、１つのスロットにわたって７つのシンボルという送信持続時間は、４つのシンボルの持続時間よりもより自然な持続時間であり得る。ゆえに、本開示のある特定の態様では、保証されたアップリンク送信は、２つのサブフレームにわたって４つのシンボルという持続時間を有し得、他の態様は、例えば、１つのスロットにわたって７つのシンボルといった、他の持続時間を使用し得る。例えば、６シンボルといった他の持続時間もまた可能であり得る。
【００４７】
[0062]図６は、本開示の一態様にしたがって構成された、無認可スペクトルを用いるＬＴＥ／ＬＴＥ−Ａ展開における送信タイムライン６０を例示するブロック図である。ＬＴＥ−ＵＳ ＵＥ１ ６００−ＬＴＥ−ＵＳ ＵＥ４ ６０３からの４つの送信は、固定のインターバルでの保証されたアップリンク送信を表す。ＬＴＥ−ＵＳ ＵＥ１ ６００およびＬＴＥ−ＵＳ ＵＥ２ ６０２は、同一の時間およびインターバルでそれらのそれぞれの保証された送信を送信する。保証された送信のための周波数再利用を増加させるために、ＬＴＥ−ＵＳ ＵＥ１ ６００およびＬＴＥ−ＵＳ ＵＥ２ ６０２の保証された送信は、ＦＤＭ送信へと周波数分割多重化（ＦＤＭ）される６０４。ＬＴＥ−ＵＳ ＵＥ３ ６０２およびＬＴＥ−ＵＳ ＵＥ４ ６０３からの保証された送信もまた、同一の時間およびインターバルで送信され得、それらもまた、別のＦＤＭ送信へとＦＤＭされ得る。保証された送信の再利用がさらに増加すると、次に、ＦＤＭ送信６０４と、ＬＴＥ−ＵＳ ＵＥ３ ６０２およびＬＴＥ−ＵＳ ＵＥ４ ６０４のＦＭＤ送信とが、各々、時分割多重化（ＴＤＭ）され得る６０５。ゆえに、再利用は、異なる展開（例えば、異なるオペレータからの）の共存（co-existence）を容易にし得る。
【００４８】
[0063]様々な再利用シナリオが、１つのサブフレーム内のＴＤＭ（１つのサブフレーム内の異なるシンボル、または１つのサブフレーム内の異なるスロット）、複数のサブフレームにまたがるＴＤＭ（展開によって異なるサブフレーム）、１つのシンボル内のＦＤＭ、またはそれらの任意の組み合わせを介して実現され得ることは留意されるべきである。
【００４９】
[0064]無認可スペクトルを用いるＬＴＥ／ＬＴＥ−Ａ展開において識別された保証された送信サブフレームを使用してＵＥによって送られ得るアップリンク信号のうちの１つは、ＰＲＡＣＨ／ＲＡＣＨ信号である。ランダムアクセスプロシージャは、ＵＥが、最初に起動時に接続しようとハンドオーバ時に接続しようと、新しいセルに接続することを可能にする。無認可スペクトルを用いる保証されたＬＴＥ／ＬＴＥ−Ａ送信を使用してＰＲＡＣＨを送信する際、ＲＡＣＨリソースは、様々なレベルの多重化を通じて管理され得る。図７は、本開示の一態様にしたがって構成された、無認可スペクトルを用いるＬＴＥ／ＬＴＥ−Ａ展開のシステム帯域幅７０を例示するブロック図である。例示されるように、システム帯域幅７０は、１００個の物理リソースブロックへと分割される。ＰＲＡＣＨの多重化は、周波数分割多重化（ＦＤＭ）および／または符号分割多重化（ＣＤＭ）に基づき得る。例えば、図７に例示されるように、１００個のＰＲＢ全体は、各々１０個のＰＲＢからなる、１０個のグループへとグループ化される。各グループは、システム帯域幅７０の少なくとも８０％に及ぶように、周波数でインターリーブされ得る。例えば、ＰＲＡＣＨグループ１は、第１０ごとのＰＲＢ、例えば、ＰＲＢ１、１１，２１…９１を占める。本開示の選択された態様では、各ＰＲＡＣＨは、１つのＰＲＡＣＨグループにのみ割り当てられる。本開示の追加の態様では、異なるＵＥのためのＰＲＡＣＨは、単一のグループ内でＣＤＭを使用して多重化され得る。例えば、ＰＲＡＣＨグループ１インスタンスは、代替的に、ＵＥ１とＵＥ２の両方からのＰＲＡＣＨとともに例示される。ＵＥ１およびＵＥ２からのＰＲＡＣＨシグナリングは、ＣＤＭを通じて、単一のＰＲＡＣＨグループへと組み合わせられ得る。
【００５０】
[0065]代替的に、複数のＰＲＡＣＨグループがシステム帯域幅７０にわたってＦＤＭおよびＣＤＭの両方を使用して多重化されるように例示されるが、本開示の追加の態様は、同一の周波数における、ＵＥからのＰＲＡＣＨを組み合わせるためにＣＤＭだけを使用し得ることは留意されるべきである。本開示の様々な態様は、任意の特定の再利用スキームに限定される。
【００５１】
[0066]ＬＴＥ通信において、ランダムアクセスプロシージャは、キャリア単位で行われる。しかしながら、本開示の様々な態様では、例えば、複数のキャリアと広帯域ＲＦ対応のＵＥとが備わった、無認可スペクトルを用いるＬＴＥ／ＬＴＥ−Ａセルにおいて、クロスキャリアランダムアクセスプロシージャを可能にすることは可能であり得る。図８Ａおよび図８Ｂは、本開示の一態様を実装するために実行される例となるブロックを例示する機能ブロック図である。ブロック８００において、無認可スペクトルを用いるＬＴＥ／ＬＴＥ−Ａ ＵＥは、セルに接続するためのランダムアクセス要求を生成する。ブロック８０１において、ＵＥは、サービング基地局によってサービスされるセルで動作する複数のキャリアのうちの第１のキャリアを通してランダムアクセス要求を基地局に送信する。ブロック８０３において、無認可スペクトルを用いるＬＴＥ／ＬＴＥ−Ａ基地局は、セルにおいて利用可能な複数のキャリアのうちの第１のキャリアを通してＵＥからランダムアクセス要求を受信する。ブロック８０２において、ＵＥは、セルに接続するために、ランダムアクセス応答について複数のキャリアをモニタリングする。ブロック８０４において、無認可スペクトルを用いるＬＴＥ／ＬＴＥ−Ａ基地局は、ランダムアクセス要求に応答して、ランダムアクセス応答を生成する。ブロック８０５において、無認可スペクトルを用いるＬＴＥ／ＬＴＥ−Ａ基地局は、複数のキャリアのうちの別のキャリアを通してＵＥへのランダムアクセス応答の送信を指示する。ゆえに、そのようなキャリアクロスランダムアクセスプロシージャでは、ＰＲＡＣＨは、第１のキャリア上で始動され得、ＵＥは、第１のランダムアクセス応答について、第１のキャリアとともにまたはそれの代わりに、異なるキャリアをモニタリングする。
【００５２】
[0067]無認可スペクトルを用いるＬＴＥ／ＬＴＥ−Ａ展開では、ランダムアクセスプロシージャは、保証された（非ＣＣＡ）および保証されていない（ＣＣＡ）アップリンクおよび／またはダウンリンクサブフレームの両方でサポートされ得る。図９は、本開示の一態様にしたがって構成された、無認可スペクトルを用いるＬＴＥ／ＬＴＥ−Ａ通信システムにおける送信タイムライン９０を例示するブロック図である。タイムライン９０は、ＬＴＥ−ＵＳ ｅＮＢ９００からのダウンリンク送信機会と、ＬＴＥ−ＵＳ ＵＥ９０１からのアップリンク送信機会とを例示する。ＬＴＥ−ＵＳ ＵＥ９０１は、非ＣＣＡサブフレーム９１１および９１６における保証されたＲＡＣＨ送信機会、または、ＣＣＡクリア信号を受信した後のＣＣＡサブフレーム９１０，９１２−９１５、および９１７における保証されていないＲＡＣＨ送信機会のいずれかを通じて、アップリンクＲＡＣＨを送信し得る。ＬＴＥ−ＵＳ ｅＮＢ９００は、これもまた、非ＣＣＡサブフレーム９０２および９０７における保証されたランダムアクセス応答（ＲＡＲ）送信機会、または、ＣＣＡクリア信号を受信した後のＣＣＡサブフレーム９０３−９０６、９０８、および９０９における保証されていないＲＡＲ送信機会のいずれかを通じて、ＲＡＲメッセージを送り得る。ＲＡＣＨおよびＲＡＲメッセージの保証された送信機会は、保証された送信に関連付けられた固定の期間（例えば、５０ｍｓ、６０ｍｓ、８０ｍｓ、等）で生じる。ＲＡＣＨ機会のためのサブフレームのセットは、ｅＮＢによって維持され得る。
【００５３】
[0068]本開示の様々な態様では、１つのＰＲＡＣＨフォーマットだけで十分であることに留意されたい。無認可スペクトルを用いるＬＴＥ／ＬＴＥ−Ａノードのための低減されたカバレッジ範囲により、ＰＲＡＣＨは、サブフレームのほんの一部（fraction）を占め得る。例えば、ＰＲＡＣＨ要求は、１つのスロットまたは１つまたは複数のシンボルでのみ提供され得る（ＰＲＡＣＨフォーマット４に類似して）。実際のチャネルは、いくつかのペイロードを含むため、簡略化されたＲＡＣＨプロシージャのケースについてＰＵＳＣＨ（またはＰＵＣＣＨ）に類似し得る。
【００５４】
[0069]典型的なＲＡＣＨプロシージャでは、ＵＥは、ランダムアクセス要求を送信し、次に、ＲＡＣＨ再送がトリガされる前にある特定の応答ウィンドウの間待つ。連続した各再送はまた、電力を用いてランプアップされる。再送／電力ランプアッププロセスの論理付け（reasoning）は、単にターゲットの基地局がランダムアクセス要求を確実に受信および解釈することができないケースにおいて、その最大電力でＲＡＣＨを送信しないことと、再送の電力を徐々に増大することとによって、電力を温存することである。このＲＡＣＨ再送プロセスは、ＵＥが対応するランダムアクセス応答を受信するまで複数の送信を伴い得、これらの複数の送信は、無認可スペクトルを用いるＬＴＥ／ＬＴＥ−Ａ基地局によって設定可能なステップサイズ（０ｄＢを含むまたは電力ランプアップを含まない）を有する電力ランプアップを有し得る。しかしながら、無認可スペクトルを用いるＬＴＥ／ＬＴＥ−Ａ展開においてＰＲＡＣＨの再送を行うかどうかを決定するために、ＵＥは、セルの以下の２つの送信状態を区別することができるものとする：状態１は、セルが、所与の応答ウィンドウ内に応答を送信するチャンスを有さない送信不可状態（incapable transmission state）である。この送信不可状態では、基地局は、保証された送信サブフレーム（非ＣＣＡサブフレーム）が存在しないか、または、基地局が、ＣＣＡ、保証されていないサブフレーム中にクリアランスを検出することができないかのいずれかであるため、応答ウィンドウ内に、ランダムアクセス応答を送信するための機会を有していない。状態２は、保証されたサブフレームを有しているか、または、ＣＣＡサブフレーム上でクリアランスを検出したがＵＥが応答を未だ受信していないかのいずれかであるため、セルが、所与の応答ウィンドウ内に応答を送信するチャンスを有している可能状態である。状態２の場合、ＵＥは、ｅＮＢが要求メッセージの受信に失敗することまたはＵＥが基地局からの応答の受信に失敗すること、など、様々な理由により応答を受信しないだろう。
【００５５】
[0070]ＵＥは、これら２つの状態を検出し、それに応じて異なるアクションをとることができるものとする。検出は、チャネル使用ビーコン信号（ＣＵＢＳ）と呼ばれることがあるチャネル使用パイロット信号（ＣＵＰＳ）、セル固有基準信号（ＣＲＢ）、チャネル状態情報基準信号（ＣＳＩ−ＲＳ）、等の検出に基づき得る。これら基準信号のうちの１つをＵＥが検出する場合、これは、基地局が送信を行うことができていることを意味し、これは、それが、保証されたサブフレームまたはＣＣＡクリアされたサブフレーム（CCA-cleared subframe）のいずれかを有していることを意味する。したがって、ＵＥは、基地局が状態２、送信可能状態、にあると決定し、ランダムアクセス応答を受信することなく応答ウィンドウが終了した後に再送をトリガするだろう。しかしながら、ＵＥが、基地局からの任意の基準信号送信の検出に失敗する場合、これは、基地局が、保証されたサブフレームまたはＣＣＡクリアされたサブフレームのいずれにも出くわしていないことを意味し得る。この状況では、ＵＥは、基地局が状態１、送信不可状態、にあると決定するだろう。状態１では、ＵＥは、再送を試みるべきではなく、基地局が応答することができるように応答ウィンドウを拡張すべきである。ＵＥが応答を受信している状態で、拡張された応答ウィンドウが再度経過（pass）すると、ＵＥは、再送を試み得る。
【００５６】
[0071]図９を参照すると、ＬＴＥ−ＵＳ ＵＥ９０１は、保証されたサブフレーム９１１において初期のランダムアクセス要求を送信し、ＬＴＥ−ＵＳ ｅＮＢ９００からのランダムアクセス応答についてモニタリングを開始する。第１のＲＡＲ送信機会は、保証されていないサブフレーム９０３において発生する。しかしながら、サブフレーム９０３において、ＬＴＥ−ＵＳ ｅＮＢ９００は、ＣＣＡクリアを検出しない。したがって、ＬＴＥ−ＵＳ ｅＮＢ９００は、いずれの送信もできない。ＬＴＥ−ＵＳ ＵＥ９０１ｗは、ランダムアクセス応答について応答ウィンドウ中モニタリングし続ける。保証されていないサブフレーム９０４および９０５の各々において、ＬＴＥ−ＵＳ ｅＮＢ９００は、ＣＣＡクリアの検出に失敗する。このように、ＬＴＥ−ＵＳ ＵＥ９０１は、ランダムアクセス応答メッセージを受信しない。応答ウィンドウは、ＬＴＥ−ＵＳ ＵＥ９０１について、保証されていないサブフレーム９０５に関連付けられた時間に終了する。しかしながら、ＬＴＥ−ＵＳ ＵＥ９０１は、サブフレーム９１１において初期のランダムアクセス要求を送信してから、ＬＴＥ−ＵＳ ｅＮＢ９００からのいずれの基準信号も検出していない。したがって、ＬＴＥ−ＵＳ ＵＥ９０１は、ＬＴＥ−ＵＳ ｅＮＢ９００が送信不可状態にあると決定し、その結果、応答ウィンドウおよび関連（associate）再送時間ギャップを拡張する。保証されたサブフレーム９０７において、ＬＴＥ−ＵＳ ｅＮＢ９００は、依然として、ランダムアクセス応答メッセージをＬＴＥ−ＵＳ ＵＥ９０１に送らない。保証されたサブフレーム９０７の発生に伴い、ＵＥ９０１は、この時点で、ＬＴＥ−ＵＳ ｅＮＢ９００が送信可能状態にあると決定するが、それが依然としてＬＴＥ−ＵＳ ｅＮＢ９００からランダムアクセス応答を受信していないため、ＬＴＥ−ＵＳ ＵＥ９０１は、保証されたサブフレーム９１６において、伝送電力のランプアップおよび再送をトリガする。このように、ＰＲＡＣＨ再送プロセスは、ＰＲＡＣＨ伝送電力の不必要なランプアップおよび再送を省くために、無認可スペクトルを用いるＬＴＥ／ＬＴＥ−Ａ展開について更新される。
【００５７】
[0072]述べたように、無認可スペクトルを用いるＬＴＥ／ＬＴＥ−Ａ ＵＥは、保証されたサブフレームと保証されていないサブフレームの両方においてランダムアクセス応答を探すことができる。応答ウィンドウは、無認可スペクトルを用いるＬＴＥ／ＬＴＥ−Ａ基地局において、保証されたサブフレーム、ＣＣＡクリアされた、保証されていないサブフレーム、およびＣＣＡクリアされていない、保証されていないサブフレームという３つの異なるサブフレームタイプの間の差分を考慮に入れることができる。例として、ＵＥは、ＰＲＡＣＨ送信のＮｍｓ後から始めて、応答をモニタリングし、保証されたサブフレーム、あるいは代替的に、ＣＣＡクリアされた、保証されていないサブフレームまたは保証されたサブフレームのいずれかの終了までモニタリングし続け得る。
【００５８】
[0073]ＣＵＰＳ／ＣＵＢＳが、チャネル同期およびチャネル予約の両方に使用され得ることは留意されるべきである。無認可スペクトルが利用可能であると決定した後（例えば、成功裏なＣＣＡを行うことによって）、基地局は、ＣＵＰＳ／ＣＵＢＳでの成功裏なＣＣＡのその実行に続いて、ＣＣＡスロットの各々を埋め得る。ＣＵＰＳ／ＣＵＢＳは、他のデバイスに、無認可スペクトル（または、少なくともそのチャネル）が別のデバイスによる使用に予約されていることを知らせるために、それら他のデバイスによって検出可能な１つまたは複数の信号を含み得る。ＣＵＰＳ／ＣＵＢＳは、ＬＴＥデバイスおよびＷｉＦｉデバイスの両方によって検出され得る。しかしながら、サブフレーム境界から開始する大半のＬＴＥ信号とは異なり、ＣＵＰＳ／ＣＵＢＳは、ＯＦＤＭシンボル境界から開始し得る。すなわち、別のデバイスがチャネル上でＣＵＰＳ／ＣＵＢＳの送信を開始した後に、そのチャネルに対してＣＣＡを行うデバイスは、ＣＵＰＳ／ＣＵＢＳのエネルギーを検出し、このチャネルが現在利用不可能であることを決定し得る。
【００５９】
[0074]保証されていないサブフレームと、保証されたサブフレーム間の時間の長さとを考慮すると、本開示の態様は、拡張された応答ウィンドウを考慮に入れるように、応答ウィンドウまたは再送間の時間ギャップを設定する。例えば、１つの可能性は、保証されたサブフレームまたはＣＣＡクリアされた、保証されていないサブフレームのいずれかに遭遇することにより、基地局が応答するチャンスを有する第１のサブフレーム（または、フレーム）に基づいて時間ギャップを決定することである。
【００６０】
[0075]アップリンク信号の保証された送信の場合、いずれのＣＣＡ調査も必要ない。しかしながら、ＵＥが、長い時間（例えば、２つ以上の連続フレーム）の間アイドルである場合、ＵＥは、既定の５０ｍｓにわたって５％デューティサイクルフレキシブル送信規則を侵害することなく、ＰＲＡＣＨまたは他のアップリンク送信を迅速に送り得る。このシナリオの場合、ＵＥがＣＣＡサブフレームを通してアップリンク送信を送り得るとしても、実質的なアイドル時間のため、アップリンク送信は、ＣＣＡ保護を侵害しない可能性が高いだろう。
【００６１】
[0076]図１０は、本開示の一態様にしたがって構成された、ＬＴＥ−ＵＳ ＵＥ１００１の送信タイムライン１０００を例示するブロック図である。ＬＴＥ−ＵＳ１００１は、非ＣＣＡサブフレーム１００２における最初に例示されている保証された送信機会の前に少なくとも５０ｍｓの間アイドルモードであった。ＬＴＥ−ＵＳ ＵＥ１００１が、この時間期間の間アイドルモードであったため、ＬＴＥ−ＵＳ ＵＥ１００１が、非ＣＣＡサブフレーム１００２の後にセルへの接続を望む場合、それは、ＣＣＡサブフレーム１００３である、次の利用可能な送信機会にランダムアクセス要求を迅速に送信し得る。ＬＴＥ−ＵＳ ＵＥ１００１は、通常、後続のアイドル期間により、ＣＣＡサブフレーム１００３上でアップリンク信号を送信する前に、まずＣＣＡクリアを受信することが必要されるが、ＬＴＥ−ＵＳ ＵＥ１００１は、最初にＣＣＡクリアを取得することなく、ＣＣＡサブフレーム１００３上でランダムアクセス要求を送信することができる。しかしながら、保証された初期アクセスについてのオフセットは、通常動作のための保証された送信についてのオフセットとアラインされていない可能性がある。そうである場合、ＬＴＥ−ＵＳ ＵＥ１００１は、通常のオフセットに合わせるために、保証された送信に対して調整を行う必要が有り得る。後続の送信機会について、ＬＴＥ−ＵＳ ＵＥ１００１は、初期のランダムアクセス送信の５０ｍｓ内に再度送信することはできないだろう。
【００６２】
[0077]ＣＣＡサブフレーム１００３の後の次の保証された送信サブフレームは、非ＣＣＡサブフレーム１００４である。しかしながら、非ＣＣＡサブフレーム１００４は、ＣＣＡサブフレーム１００３から５０ｍｓ秒内である。仮にＬＴＥ−ＵＳ ＵＥ１００１が、非ＣＣＡサブフレーム１００４において、追加のアップリンク信号またはランダムアクセス再送を送信した場合、それは、５０ｍｓ期間内の５％デューティサイクルフレキシブル送信リミットを侵害し得る。そのような状況では、ＬＴＥ−ＵＳ ＵＥ１００１は、保証されたサブフレーム上での送信を完全にスキップし得る。しかしながら、そのような送信が、実際、５％リミットを侵害するであろうか否かを決定するためにＬＴＥ−ＵＳ ＵＥ１００１がＣＣＡ要求を行い得ることは留意されるべきである。仮にＬＴＥ−ＵＳ ＵＥ１００１がＣＣＡクリアを受信すれば、それは、追加のアップリンク信号または再送されたランダムアクセス要求を送信し得るだろう。ＬＴＥ−ＵＳ ＵＥ１００１のための次の保証された送信機会は、非ＣＣＡサブフレーム１００５において訪れる（fall）。非ＣＣＡサブフレーム１００５は、ＣＣＡサブフレーム１００３から５０ｍｓのウィンドウの外側に位置するが、これもまた、ＣＣＡサブフレーム１００３から開始するオフセットと一致しない。したがって、ＬＴＥ−ＵＳ ＵＥ１００１は、非ＣＣＡサブフレーム１００５において保証された送信を開始するために、通常動作のための保証された送信についてのオフセットを調整し得る。
【００６３】
[0078]現在のランダムアクセスプロシージャでは、４つのメッセージが、ＵＥと基地局との間で交換される。第１のメッセージＭｓｇ１は、ＵＥによるＰＲＡＣＨを含み、第２のメッセージＭｓｇ２は、基地局によるＲＡＲ応答を含み、第３のメッセージＭｓｇ３は、ＵＥからの無線リソース制御（ＲＲＣ）接続要求を含み得る初期のＰＵＳＣＨ送信を含み、第４のメッセージＭｓｇ４は、ＲＲＣ接続セットップ等を含み得る、基地局からの接続セットアップ情報を含む。ハンドオーバ中などのいくつかの状況では、第４のメッセージＭｓｇ４は、必要ないだろう。
【００６４】
[0079]本開示の様々な態様は、簡略化されたＲＡＣＨプロシージャを提供する。例えば、様々な態様は、ＲＡＣＨプロシージャを２つまたは３つのメッセージに簡略化する。図１１Ａは、本開示の一態様にしたがって構成された、無認可スペクトルを用いるＬＴＥ／ＬＴＥ−Ａ通信システムのためのｅＮＢ１１０１とＵＥ１１０２との間の呼フローを例示する呼フロー図１１００である。時間１１０３において、ＵＥ１１０２は、ランダムアクセス要求と初期のＰＵＳＣＨ送信とを含む組み合わせられたランダムアクセス要求メッセージを送る。時間１１０４において、初期のＰＵＳＣＨ情報を有するランダムアクセス要求を受信しているｅＮＢ１１０１は、ＲＲＣ接続セットアップメッセージのような、ＵＥ１１０２へのランダムアクセス応答と追加の接続アップ情報とを含む組み合わせられたランダムアクセス応答メッセージで応答する。
【００６５】
[0080]本開示の様々な実施形態では、簡略化された２ステップＲＡＣＨプロシージャは、遥かに効率的なプロセスを提供する。しかしながら、ＵＥ１１０２によって、組み合わせられたランダムアクセス要求メッセージに含まれたＭｓｇ３と、ｅＮＢ１１０１によって、組み合わせられたランダムアクセス応答メッセージに含まれたＭｓｇ４との間の待ち時間、という機会が存在し得る。初期のＰＵＳＣＨは、Ｍｓｇ４接続セットアップ情報とともに到来する確認応答を待ち得る。ゆえに、この確認／確認応答を待つ間、ＵＥ１１０２は、ＲＡＣＨ要求の再送および電力ランプアップに関して、応答ウィンドウをモニタリングし続け得る。したがって、本開示の代替的な態様は、簡略化された３ステップＲＡＣＨプロシージャを提供する。図１１Ｂは、本開示の一態様にしたがって構成された、無認可スペクトルを用いるＬＴＥ／ＬＴＥ−Ａ通信システムにおけるｅＮＢ１１０１とＵＥ１１０２との間の呼フローを例示する呼フロー図１１０５である。図１１Ａの簡略化された２ステッププロシージャに類似して、時間１１０３において、ＵＥ１１０２は、ランダムアクセス要求と初期のＰＵＳＣＨ送信とを含む組み合わせられたランダムアクセス要求メッセージを送る。時間１１０６において、初期のＰＵＳＣＨ情報を有するランダムアクセス要求を受信してあるｅＮＢ１１０１は、再送と電力ランプアップとが停止され得るように、時間１１０３における組み合わせられたメッセージのランダムアクセス要求に単に確認応答するランダムアクセス応答メッセージを送る。時間１１０７において、ｅＮＢ１１０１は、追加の接続セットアップ情報を送る。ゆえに、Ｍｓｇ３とＭｓｇ４との間の潜在的な待ち時間は、組み合わせられたランダムアクセス要求メッセージに応答して、ｅＮＢ１１０１からのメッセージを分けることによって対処され得る。
【００６６】
[0081]少なくともいくつかのシナリオ（例えば、ハンドオーバ）について、１１０４において第２のメッセージに組み込まれるＭｓｇ４のマテリアルが必要ではない可能性があるため、図１１Ａに例示された簡略化された２ステップＲＡＣＨプロシージャで十分であり、これが、待ち時間問題が発生することを防ぐであろうことに留意されたい。しかしながら、Ｍｓｇ３とＭｓｇ４との間の待ち時間が大きくなり得るシナリオでは、図１１Ｂに例示された、簡略化された３ステップＲＡＣＨプロシージャを選択することがより効率的であり得る。さらなる態様では、すべてのシナリオに対して、単一の簡略化された代替的なＲＡＣＨプロシージャを有することが望まれ得る。
【００６７】
[0082]本開示の様々な態様は、図１１Ａおよび１１Ｂに例示されるように、例えば、国際モバイル局機器識別子（ＩＭＥＩ）番号のような少なくともＵＥ識別子（ＵＥ ＩＤ）を含む、１１０３において組み合わせられたランダムアクセス要求メッセージが、ＵＥ１１０２によって送られる。追加的に、ＵＥ１１０２は、ＰＲＡＣＨグループと、組み合わせられたランダムアクセス要求の送信のためのそのグループ内のシーケンスとを導出し得る。この導出は、純粋にランダムであり得るか、または代替的に、ランダムアクセス要求に埋め込まれ得るＵＥ ＩＤのような様々な情報に基づき得る。さらに、追加の態様では、組み合わせられたメッセージの周期的冗長検査（ＣＲＣ）は、ｅＮＢ１１０１が未だＵＥ ＩＤへのアクセスを有さないことから、ＵＥ ＩＤを使用してスクランブルされるべきではない。
【００６８】
[0083]追加の態様はまた、１１０４において、ｅＮＢ１１０１によって送られる組み合わせられたランダムアクセス応答メッセージにおいてより特定の情報を提供し得る。例えば、ｅＮＢ１１０１は、セル無線ネットワーク一時識別子（Ｃ−ＲＮＴＩ）割当て、等で応答し得る。待ち時間およびＲＡＣＨプロシージャのタイプ（例えば、初期アクセス対ハンドオーバ）に依存して、ステップ１とステップ２との間の待ち時間は、大きくなること（例えば、初期アクセスの場合に、数十ミリ秒であり得る）も、小さくなること（例えば、ハンドオーバの場合）もあり得る。
【００６９】
[0084]本開示の様々な態様では、簡略化された２ステップＲＡＣＨプロセスの第２のメッセージ（例えば、組み合わせられたランダムアクセス応答メッセージ）が、ユニキャストまたはマルチキャスト送信として送信され得る。ユニキャスト送信は、マルチキャストと比べて、オーバヘッド効率が低い可能性がある。ユニキャストメッセージとして送信される場合、ＵＥ ＩＤは、組み合わせられたランダムアクセス応答メッセージ全体をスクランブルするために使用され得る。しかしながら、マルチキャストでは、メッセージは、１つよりも多くのＵＥについての情報を含むだろう。したがって、ＵＥ ＩＤは、メッセージ内のペイロードの一部で有り得る。マルチキャストにおけるＵＥ固有情報のセキュリティを高めるために、ＵＥ固有情報を含むメッセージの一部は、情報が向けられるＵＥに対応するＵＥ ＩＤでスクランブリングされ得る。
【００７０】
[0085]マルチキャスト送信態様では、組み合わせられたランダムアクセス応答メッセージは、複数のＵＥによって共有され得る情報を含む共通情報部および情報が関係するＵＥによって配列されたＵＥ固有情報のセットを含むＵＥ固有部という２つの部分へと構成され得る。図１２は、本開示の一態様にしたがって構成された、基地局からの組み合せられたランダムアクセス応答メッセージ１２００を例示するブロック図である。組み合わせられたランダムアクセス応答メッセージ１２００は、基地局においてＲＡＣＨプロシージャに関連付けられた２つ以上のＵＥに共通し得る様々な情報を含む共通情報部１２０１、様々なＵＥ固有情報を含むＵＥ固有情報部１２０２を含む。例えば、図１２に例示されるように、ＵＥ固有情報部１２０２は、ＵＥ＿１ １２０２−１、ＵＥ＿２ １２０２−２〜ＵＥ＿Ｋ １２０２−Ｋについての特定の情報を含む。上述したように、個々のＵＥ固有情報サブセクション１２０２−１〜１２０２−Ｋの各々は、関連するＵＥ ＩＤでスクランブリングされ得る。ゆえに、別のＵＥは、別のＵＥについての関連ＵＥ固有情報を閲覧することはできないだろう。
【００７１】
[0086]本開示の様々な態様では、ＵＥが、保証されたサブフレームおよび保証されていないサブフレームの両方で、組み合わせられた要求メッセージを送信することと、ｅＮＢからの応答メッセージを予期することとの両方を行うことに留意されたい。
【００７２】
[0087]保証されたサブフレームおよび保証されていないサブフレームで送信および／または受信され得る通常のＰＲＡＣＨサブフレームに加え、本開示の様々な態様はまた、例えば、ハンドオーバ中などに、ＲＡＣＨプロシージャを促進する（expedite）ために、ｅＮＢによってＵＥに割り当てられ得るオンデマンドＰＲＡＣＨ割振りを提供する。図１３Ａおよび１３Ｂは、本開示の一態様を実装するために実行される例となるブロックを例示する機能ブロック図である。ブロック１３００において、基地局は、促進ランダムアクセス割振りを生成する。促進ランダムアクセス割振りは、最初にサブフレームに対してＣＣＡ検査を行うことなく、ＲＡＣＨプロセスを開始するようＵＥに命令する。ブロック１３０１において、基地局は、ＣＣＡサブフレーム（クリアされた、保証されていない）または非ＣＣＡサブフレーム（保証された）のいずれかにおいて、促進ランダムアクセス割振りをＵＥに送信する。ブロック１３０２において、ＵＥは、促進ランダムアクセス割振りを基地局から受信する。ブロック１３０３において、ＵＥは、次に利用可能なサブフレームがランダムアクセス指定サブフレームであるかどうかを決定することなく、次に利用可能なサブフレームにおいてランダムアクセス要求を送信する。ゆえに、ＵＥは、近くのＰＲＡＣＨを開始することによって要求に応答し、どれが不定期のＰＲＡＣＨサブフレームになることができるかに応答する。
【００７３】
[0088]ＬＴＥにおける典型的なランダムアクセス応答許可は、以下の情報フィールドを含む：１ビットのホッピングフラッグ、１０ビットの固定サイズリソースブロック割当て、４ビットの短縮された変調およびコーディングスキーム（ＭＣＳ）、スケジューリングされたＰＵＳＣＨのための３ビットの伝送電力制御（ＴＰＣ）コマンド、１ビットのアップリンク遅延、１ビットのＣＳＩ要求、およびＲＲＣ接続セットアップ情報のような追加情報。無認可スペクトルを用いるＬＴＥ／ＬＴＥ−Ａ展開を考慮する際、ランダムアクセス要求許可は、ＬＴＥ実装からわずかな修正を加えてこの情報の大半を含み続け得る。例えば、ホッピングフラッグは、アップリンク多重化構造に依存して、必要ではない可能性がある。固定サイズのリソースブロック割当ては、例えば、周波数ドメインにおける周波数オフセットおよびデシメーションの量（combsの数）および／またはシンボル数を示すために、簡略化および／または再解釈され得る。無認可スペクトルを用いるＬＴＥ／ＬＴＥ−Ａ ＲＡＲ許可は、ビット数が、標準の４ビットフィールドから減らされ得るにもかかわらず、依然として短縮されたＭＣＳを有し得る。スケジューリングされたＰＵＳＣＨに対するＴＰＣコマンドが依然として含まれる。アップリンク遅延、ＣＳＩ要求のような他のＲＡＲ許可情報および追加の許可情報もまた、無認可スペクトルを用いるＬＴＥ／ＬＴＥ−Ａ ＲＡＲ許可情報に含まれ得る。
【００７４】
[0089]本開示の一般の態様では、少なくとも無認可スペクトルを通した送信用に構成されたＵＥが、アップリンク信号を生成し、それら生成されたアップリンク信号のうちの少なくともいくつかをサービング基地局に送信する非ＣＣＡサブフレームを決定することに留意されたい。少なくとも無認可スペクトルを通した通信用にも構成されるサービング基地は、それがアップリンク信号を受信し得る非ＣＣＡサブフレームを識別し、無認可帯域を通して非ＣＣＡサブフレームにおいて任意のそのようなアップリンク信号を受信する。
【００７５】
[0090]図１４Ａは、本開示の一態様を実装するために実行される例となるブロックを例示する機能ブロック図である。ブロック１４００において、ＵＥは、サービング基地局への送信のための１つまたは複数のアップリンク信号を生成する。例示された態様のＵＥは、少なくとも無認可スペクトルを通してサービング基地局に通信信号を送信し、サービング基地局から通信信号を受信するように構成される。ブロック１４０１において、ＵＥは、生成されたアップリンク信号のうちの少なくとも１つの送信のための非ＣＣＡサブフレームを決定する。ブロック１４０２において、ＵＥは、無認可帯域を通して非ＣＣＡサブフレームにおいてアップリンク信号を送信する。
【００７６】
[0091]図１４Ｂは、本開示の一態様を実装するために実行される例となるブロックを例示する機能ブロック図である。ブロック１４０３において、サービング基地局は、少なくとも１つのアップリンク信号の受信のための非ＣＣＡサブフレームを識別する。図１４Ｂに例示される態様のサービング基地局は、図１４Ａに例示されたブロックを行うＵＥにサービスし得る。サービング基地局は、少なくとも無認可スペクトルを通した通信用に構成されるだろう。ブロック１４０４において、サービング基地局は、無認可帯域を通して非ＣＣＡサブフレームにおいてＵＥから１つまたは複数のアップリンク信号を受信する。
【００７７】
[0092]当業者は、多種多様な技術および技法のいずれかを使用して情報および信号が表され得ることを理解するであろう。例えば、上記説明全体にわたって参照され得るデータ、命令、コマンド、情報、信号、ビット、シンボル、およびチップは、電圧、電流、電磁波、磁場または磁性粒子、光場または光粒子、あるいはこれらの任意の組み合わせによって表され得る。
【００７８】
[0093]図８Ａ−８Ｂ、１３Ａ−１３Ｂ、および１４Ａ−１４Ｂの機能ブロックおよびモジュールは、プロセッサ、電子デバイス、ハードウェアデバイス、電子構成要素、論理回路、メモリ、ソフトウェアコード、ファームウェアコード、等、またはそれらの任意の組み合わせを備え得る。
【００７９】
[0094]当業者は、本明細書の開示に関連して説明された実例となる様々な論理ブロック、モジュール、回路、およびアルゴリズムのステップが、電子ハードウェア、コンピュータソフトウェア、または両者の組み合わせとして実装され得ることをさらに認識するであろう。このハードウェアおよびソフトウェアの互換性を明確に例示するために、実例となる様々な構成要素、ブロック、モジュール、回路、およびステップは、概ねそれらの機能の観点から上で説明されている。そのような機能性がハードウェアとして実装されるかソフトウェアとして実装されるかは、特定の用途とシステム全体に課される設計の制約とに依存する。当業者は、上述された機能を特定の用途ごとに様々な方法で実装し得るが、このような実装の決定は本開示の範囲からの逸脱をさせるものとして解釈されるべきでない。当業者は、本明細書で説明された構成要素、方法、または相互作用の順序または組み合わせが単なる例に過ぎないこと、および、本開示の様々な態様の構成要素、方法、または相互作用が、本明細書で例示および説明されたもの以外の方法で行われるかまたは組み合わせられ得ることを容易に認識するであろう。
【００８０】
[0095]本明細書の開示に関連して説明された実例となる様々な論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、あるいは本明細書で説明された機能を行うよう設計されたそれらの任意の組み合わせで実装されるかまたは行われ得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組み合わせ、例えば、ＤＳＰと、１つのマイクロプロセッサ、複数のマイクロプロセッサ、ＤＳＰコアに連結した１つまたは複数のマイクロプロセッサ、あるいは任意の他のそのような構成との組み合わせとして実装され得る。
【００８１】
[0096]本明細書の開示に関連して説明されたアルゴリズムまたは方法のステップは、直接ハードウェアで、プロセッサによって実行されるソフトウェアモジュールで、または両者の組み合わせで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形式の記憶媒体に存在し得る。例示的な記憶媒体は、プロセッサが記憶媒体から情報を読み取り、記憶媒体に情報を書き込むことができるようにプロセッサに結合される。代替的に、記憶媒体は、プロセッサに一体化され得る。プロセッサおよび記憶媒体はＡＳＩＣ内に存在し得る。ＡＳＩＣはユーザ端末内に存在し得る。代替的に、プロセッサおよび記憶媒体は、ユーザ端末においてディスクリート構成要素として存在し得る。
【００８２】
[0097]１つまたは複数の例示的な設計では、説明された機能は、ハードウェアで、ソフトウェアで、ファームウェアで、またはそれらの任意の組み合わせで実装され得る。ソフトウェアで実装される場合、これら機能は、コンピュータ可読媒体において、１つまたは複数の命令またはコードとして、記憶または送信されることができる。コンピュータ可読媒体は、ある箇所から別の箇所へのコンピュータプログラの移送を容易にする任意の媒体を含む通信媒体およびコンピュータ記憶媒体の両方を含む。コンピュータ可読記憶媒体は、汎用コンピュータまたは専用コンピュータによりアクセスされることができる任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形式で所望のプログラムコード手段を搬送または記憶するために使用されることができ、かつ、汎用コンピュータまたは専用コンピュータあるいは汎用プロセッサまたは専用プロセッサによってアクセスされることができるその他の媒体を備え得る。また、任意の接続も、厳密にはコンピュータ可読媒体と称され得る。例えば、ソフトウェアが、ウェブサイト、サーバ、または他のリモートソースから、同軸ケーブル、光ファイバケーブル、ツイストペア、デジタル加入者回線（ＤＳＬ）を使用して送信される場合、この同軸ケーブル、光ファイバケーブル、ツイストペア、ＤＳＬは、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ディスク（disk）は、通常磁気的にデータを再生し、ディスク（disc）は、レーザーを用いて光学的にデータを再生する。上記の組み合わせもまた、コンピュータ可読媒体の範囲内に含まれるべきである。
【００８３】
[0098]本明細書、特許請求の範囲を含む、で使用される場合、「および／または」という用語は、２つ以上の項目からなるリストで使用されるとき、リストされた項目のうちのいずれか１つが単独で採用され得ること、または、リストされた項目のうちの２つ以上からなる任意の組み合わせが採用され得ることを意味する。例えば、ある構成が、構成要素Ａ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含み得る。また、本明細書、特許請求の範囲を含む、で使用される場合、「〜のうちの少なくとも１つ」で始まる複数の項目からなるリストで使用される「または」は、例えば「Ａ、Ｂ、またはＣのうちの少なくとも１つ」のリストが、Ａ、Ｂ、Ｃ、ＡとＢ、ＡとＣ、ＢとＣ、またはＡとＢとＣ（すなわち、Ａ、Ｂ、およびＣ）を意味するような、離接的な（disjunctive）リストを示す。
【００８４】
[0099]本開示の以上の説明は、当業者が本開示を実行または使用することを可能にするために提供される。本開示に対する様々な修正は当業者には容易に明らかであり、本明細書で定義された包括的な原理は、本開示の精神または範囲から逸脱することなく、他の変形に適用され得る。ゆえに、本開示は、本明細書で説明された例および設計に制限されることを意図せず、本明細書に開示された原理および新規な特徴に合致する最も広い範囲が与えられるべきである。
以下に、本願出願の当初の特許請求の範囲に記載された発明を付記する。
［Ｃ１］
ワイヤレス通信の方法であって、
ユーザ機器（ＵＥ）において、サービング基地局への送信のための１つまたは複数のアップリンク信号を生成すること、ここにおいて、前記ＵＥは、少なくとも無認可スペクトルを通して前記サービング基地局に通信信号を送信し、前記サービング基地局から通信信号を受信するように構成される、と、
前記ＵＥが、前記１つまたは複数のアップリンク信号のうちの少なくとも１つの送信のための非クリアチャネルアセスメント（非ＣＣＡ）サブフレームを決定することと、
無認可帯域を通して前記ＵＥが、前記非ＣＣＡサブフレームにおいて前記１つまたは複数のアップリンク信号のうちの前記少なくとも１つを送信することと
を備える、方法。
［Ｃ２］
前記非ＣＣＡサブフレームの前記構成は、持続時間および周期性に関連付けられ、前記持続時間と前記周期性との間の比は、５％にすぎない、
［Ｃ１］に記載の方法。
［Ｃ３］
前記サービング基地局から受信される前記通信信号は、直交分割多元接続（ＯＦＤＭＡ）信号である、
［Ｃ１］に記載の方法。
［Ｃ４］
前記１つまたは複数のアップリンク信号は、
サウンディング基準信号（ＳＲＳ）、
スケジューリング要求（ＳＲ）、
チャネル状態情報（ＣＳＩ）フィードバック、
アップリンク発見信号、
物理ランダムアクセスチャネル（ＰＲＡＣＨ）、または
物理アップリンク共有チャネル
のうちの少なくとも１つを含む、［Ｃ１］に記載の方法。
［Ｃ５］
前記ＵＥが、ＣＣＡサブフレーム内のクリアＣＣＡを検出することと、
前記ＵＥが、前記クリアＣＣＡの検出に応答して前記ＣＣＡサブフレーム内の前記１つまたは複数のアップリンク信号のうちの少なくとも他の１つを送信すること、ここにおいて、前記送信することは、前記検出から既定の時間が過ぎる前に発生する、と
をさらに含む、［Ｃ１］に記載の方法。
［Ｃ６］
前記１つまたは複数のアップリンク信号を送信するための前記非ＣＣＡサブフレームのオフセットは、前記サービング基地局から１つまたは複数のダウンリンク信号を受信するための別の非ＣＣＡサブフレームの別のオフセットの関数である、
［Ｃ１］に記載の方法。
［Ｃ７］
前記サービング基地局から非ＣＣＡサブフレームにおいてダウンリンク送信を受信することをさらに含み、前記１つまたは複数のアップリンク信号のうちの前記少なくとも１つを前記送信することは、前記ダウンリンク送信を前記受信することに応答するものである、
［Ｃ４］に記載の方法。
［Ｃ８］
前記基地局の送信状態を決定することと、
前記決定された送信状態に応答して前記１つまたは複数のアップリンク信号のうちの少なくとも１つの再送を行うかどうかを決定することと
をさらに含む、［Ｃ１］に記載の方法。
［Ｃ９］
前記１つまたは複数のアップリンク信号のうちの前記少なくとも１つは、ランダムアクセス要求であり、前記送信状態は、送信可状態、または送信不可状態のうちの少なくとも１つを含み、前記送信状態に応答して、
前記基地局が前記ランダムアクセス応答を送ることが取り除かれることを前記送信状態が示す場合、前記ランダムアクセス要求の再送を一時停止すること、または
前記基地局が、前記ランダムアクセス応答を送ることが取り除かれないことを前記送信状態が示す場合、前記ランダムアクセス要求を再送すること
のうちの１つを行う、［Ｃ８］に記載の方法。
［Ｃ１０］
前記送信状態を前記決定することは、
前記基地局によって送信される１つまたは複数の基準信号について前記ＵＥがモニタリングすることと、
前記ＵＥが前記１つまたは複数の基準信号の検出に失敗する場合、送信不可送信状態を決定することと、
前記ＵＥが前記１つまたは複数の基準信号を検出する場合、送信可送信状態を決定することと、
前記ＵＥが非ＣＣＡサブフレームを検出する場合、送信可送信状態を決定することと
を含む、［Ｃ８］に記載の方法。
［Ｃ１１］
第１の非ＣＣＡサブフレームについて、第１のオフセットを決定することと、
前記第１の非ＣＣＡサブフレームと第２の非ＣＣＡサブフレームとの間のアイドル持続時間に応答して、前記第２の非ＣＣＡサブフレームについて、前記第１のオフセットとは異なる第２のオフセットに順応すること、前記アイドル持続時間は、少なくとも閾値持続時間を満たす、と
をさらに含む、［Ｃ１］に記載の方法。
［Ｃ１２］
前記少なくとも１つまたは複数のアップリンク信号は、修正されたランダムアクセス要求を含み、前記修正されたランダムアクセス要求は、前記ＵＥの識別子の関数である、
［Ｃ１］に記載の方法。
［Ｃ１３］
修正されたランダムアクセス応答メッセージを受信することをさらに含み、前記修正されたランダムアクセス応答メッセージは、前記ＵＥおよび１つまたは複数の追加のＵＥに共通の情報の第１の部分と、情報の１つまたは複数の第２の部分とを含み、情報の前記１つまたは複数の第２の部分の各々は、ＵＥ固有情報を含む、
［Ｃ１２］に記載の方法。
［Ｃ１４］
ワイヤレス通信の方法であって、
少なくとも無認可スペクトルを通した通信用に構成されたサービング基地局が、少なくとも１つのアップリンク信号の受信のための非クリアチャネルアセスメント（非ＣＣＡ）サブフレームを識別することと、
前記非ＣＣＡサブフレームにおいて、ユーザ機器（ＵＥ）から１つまたは複数のアップリンク信号を、無認可帯域を通して、前記サービング基地局において受信することと
を備える、方法。
［Ｃ１５］
前記非ＣＣＡサブフレームの前記構成は、持続時間および周期性に関連付けられ、前記持続時間と前記周期性との間の比は、５％にすぎない、
［Ｃ１４］に記載の方法。
［Ｃ１６］
前記１つまたは複数のアップリンク信号は、
サウンディング基準信号（ＳＲＳ）、
スケジューリング要求（ＳＲ）、
チャネル状態情報（ＣＳＩ）フィードバック、
アップリンク発見信号、
物理ランダムアクセスチャネル（ＰＲＡＣＨ）、または
物理アップリンク共有チャネル
のうちの少なくとも１つを含む、［Ｃ１４］に記載の方法。
［Ｃ１７］
少なくとも１つのＵＥについて前記非ＣＣＡサブフレームのオフセットを識別することをさらに含み、前記オフセットは、前記サービング基地局から１つまたは複数のダウンリンク信号を送信するための別の非ＣＣＡサブフレームの別のオフセットの関数である、
［Ｃ１４］に記載の方法。
［Ｃ１８］
前記基地局の送信状態を決定することと、
前記送信状態に応答して前記１つまたは複数のアップリンク信号のうちの少なくとも１つの再送を受信するか否かを決定することと
をさらに含む、［Ｃ１４］に記載の方法。
［Ｃ１９］
前記１つまたは複数のアップリンク信号のうちの少なくとも１つは、ランダムアクセス要求であり、前記送信状態は、送信可状態または送信不可状態のうちの少なくとも１つを含み、前記送信状態に応答して、
前記基地局が、前記ランダムアクセス応答を送ることが取り除かれることを前記送信状態が示す場合、前記再送されたランダムアクセス要求の受信を一時停止すること、
前記基地局が、前記ランダムアクセス応答を送ることが取り除かれることを前記送信状態が示す場合、前記再送されたランダムアクセス要求を受信することと
のうちの１つを決定すること、［Ｃ１８］に記載の方法。
［Ｃ２０］
前記送信状態を前記決定することは、
前記基地局が１つまたは複数の基準信号を送信しない場合、送信不可送信状態を決定することと、
前記基地局が１つまたは複数の基準信号を送信する場合、送信可送信状態を決定することと、
前記基地局が非ＣＣＡサブフレームを送信する場合、送信可送信状態を決定することと
を含む、［Ｃ１８］に記載の方法。
［Ｃ２１］
前記ＵＥのための第１の非ＣＣＡサブフレームについての第１のオフセットを決定することと、
前記第１の非ＣＣＡサブフレームと第２の非ＣＣＡサブフレームとの間の前記ＵＥにおけるアイドル持続時間に応答して、前記第２の非ＣＣＡサブフレームについて、前記第１のオフセットとは異なる第２のオフセットに順応すること、前記アイドル持続時間は、少なくとも閾値持続時間を満たす、と
をさらに含む、［Ｃ１４］に記載の方法。
［Ｃ２２］
前記１つまたは複数のアップリンク信号は、修正されたランダムアクセス要求を含み、前記修正されたランダムアクセス要求は、前記ＵＥの識別子の関数である、
［Ｃ１４］に記載の方法。
［Ｃ２３］
修正されたランダムアクセス応答メッセージを送信することをさらに含み、前記修正されたランダムアクセス応答メッセージは、前記ＵＥおよび１つまたは複数の追加のＵＥに共通の情報の第１の部分と、情報の１つまたは複数の第２の部分とを含み、情報の前記１つまたは複数の第２の部分の各々は、ＵＥ固有情報を含む、
［Ｃ２２］に記載の方法。
［Ｃ２４］
ワイヤレス通信用に構成された装置であって、
ユーザ機器（ＵＥ）において、サービング基地局への送信のための１つまたは複数のアップリンク信号を生成するための手段、ここにおいて、前記ＵＥは、少なくとも無認可スペクトルを通して前記サービング基地局に通信信号を送信し、前記サービング基地局から通信信号を受信するように構成される、と、
前記ＵＥが、前記１つまたは複数のアップリンク信号のうちの少なくとも１つの送信のための非クリアチャネルアセスメント（非ＣＣＡ）サブフレームを決定するための手段と、
無認可帯域を通して前記ＵＥが、前記非ＣＣＡサブフレームにおいて、前記１つまたは複数のアップリンク信号のうちの前記少なくとも１つを送信するための手段と
を備える装置。
［Ｃ２５］
前記ＵＥが、ＣＣＡサブフレーム内のクリアＣＣＡを検出するための手段と、
前記ＵＥが、前記クリアＣＣＡを検出ための前記手段に応答して前記ＣＣＡサブフレーム内の前記１つまたは複数のアップリンク信号のうちの少なくとも他の１つを送信するための手段、ここにおいて、前記送信することは、前記検出から既定の時間が過ぎる前に発生する、と
をさらに備える、［Ｃ２４］に記載の装置。
［Ｃ２６］
前記１つまたは複数のアップリンク信号を送信するための前記非ＣＣＡサブフレームのオフセットは、前記サービング基地局から１つまたは複数のダウンリンク信号を受信するための別の非ＣＣＡサブフレームの別のオフセットの関数である、
［Ｃ２４］に記載の装置。
［Ｃ２７］
前記基地局の送信状態を決定するための手段と、
前記決定された送信状態に応答して前記１つまたは複数のアップリンク信号のうちの少なくとも１つの再送を行うかどうかを決定するための手段と
をさらに備える、［Ｃ２４］に記載の装置。
［Ｃ２８］
ワイヤレス通信用の装置であって、
少なくとも無認可スペクトルを通した通信用に構成されたサービング基地局が、少なくとも１つのアップリンク信号の受信のための非クリアチャネルアセスメント（非ＣＣＡ）サブフレームを識別するための手段と、
前記非ＣＣＡサブフレームにおいて、ユーザ機器（ＵＥ）から１つまたは複数のアップリンク信号を、無認可帯域を通して、前記サービング基地局において受信するための手段と
を備える、装置。
［Ｃ２９］
少なくとも１つのＵＥについての前記非ＣＣＡサブフレームのオフセットを識別するための手段をさらに備え、前記オフセットは、前記サービング基地局から１つまたは複数のダウンリンク信号を送信するための別の非ＣＣＡサブフレームの別のオフセットの関数である、
［Ｃ２８］に記載の装置。
［Ｃ３０］
前記基地局の送信状態を決定するための手段と、
前記送信状態に応答して前記１つまたは複数のアップリンク信号のうちの少なくとも１つの再送を受信するか否かを決定するための手段と
をさらに備える、［Ｃ２８］に記載の装置。
【図１】
0006661732.tif 000002
【図２Ａ】
0006661732.tif 000003
【図２Ｂ】
0006661732.tif 000004
【図３】
0006661732.tif 000005
【図４】
0006661732.tif 000006
【図５】
0006661732.tif 000007
【図６】
0006661732.tif 000008
【図７】
0006661732.tif 000009
【図８Ａ】
0006661732.tif 000010
【図８Ｂ】
0006661732.tif 000011
【図９】
0006661732.tif 000012
【図１０】
0006661732.tif 000013
【図１１Ａ】
0006661732.tif 000014
【図１１Ｂ】
0006661732.tif 000015
【図１２】
0006661732.tif 000016
【図１３Ａ】
0006661732.tif 000017
【図１３Ｂ】
0006661732.tif 000018
【図１４Ａ】
0006661732.tif 000019
【図１４Ｂ】
0006661732.tif 000020